(57)【要約】【課題】従来の情報処理システムにおいては、容易に情報を取得できない、という課題があった。【解決手段】1以上の情報格納装置が格納している情報に対応する情報である象徴情報と、前記情報が格納されている場所を特定する情報である１以上の場所情報の対応を管理する情報である管理情報を1以上格納している管理情報格納部と、象徴情報を有する情報であり、場所情報の送信を要求する情報である場所情報送信要求情報を、クライアント装置から受信する場所情報送信要求情報受信部と、前記場所情報送信要求情報が有する象徴情報に対応する1以上の場所情報を、前記管理情報に基づいて取得する場所情報取得部と、前記場所情報取得部が取得した1以上の場所情報を、クライアント装置に送信する場所情報送信部と、を具備するサーバ装置により、容易に情報を取得できる。【選択図】図１
2006331139.tif 000002
【特許請求の範囲】
【請求項１】
1以上の情報格納装置と、サーバ装置と、クライアント装置と、を具備する情報処理システムであって、
前記情報格納装置は、
1以上の情報を格納している情報格納部と、
前記クライアント装置からの要求に応じて、前記情報を前記クライアント装置に送信する情報送信部と、を具備し、
前記サーバ装置は、
前記1以上の情報格納装置が格納している情報に対応する情報である象徴情報と、前記情報が格納されている場所を特定する情報である場所情報の対応を管理する情報である管理情報を1以上格納している管理情報格納部と、
象徴情報を有する情報であり、場所情報の送信を要求する情報である場所情報送信要求情報を、前記クライアント装置から受信する場所情報送信要求情報受信部と、
前記場所情報送信要求情報が有する象徴情報に対応する1以上の場所情報を、前記管理情報に基づいて取得する場所情報取得部と、
前記場所情報取得部が取得した1以上の場所情報を、前記クライアント装置に送信する場所情報送信部と、を具備し、
前記クライアント装置は、
象徴情報を受け付ける象徴情報受付部と、
前記象徴情報受付部が受け付けた象徴情報を有する場所情報送信要求情報を前記サーバ装置に送信する場所情報送信要求情報送信部と、
前記サーバ装置から前記1以上の場所情報を受信する場所情報受信部と、
前記場所情報受信部が受信した1以上の場所情報に関連する情報である1以上の場所関連情報を出力する場所関連情報出力部と、を具備する情報処理システム。
【請求項２】
1以上の情報格納装置と、サーバ装置と、クライアント装置と、を具備する情報処理システムであって、
前記情報格納装置は、
1以上の情報を格納している情報格納部と、
前記クライアント装置からの要求に応じて、前記情報を前記クライアント装置に送信する情報送信部と、を具備し、
前記サーバ装置は、
前記1以上の情報格納装置が格納している情報に対応する情報である象徴情報と、前記情報が格納されている場所を特定する情報である場所情報の対応を管理する情報である管理情報を1以上格納している管理情報格納部と、
象徴情報を有する情報であり、場所情報の送信を要求する情報である場所情報送信要求情報を、前記クライアント装置から受信する場所情報送信要求情報受信部と、
前記場所情報送信要求情報が有する象徴情報に対応する1以上の場所情報を、前記管理情報に基づいて取得する場所情報取得部と、
前記場所情報取得部が取得した1以上の場所情報を、前記クライアント装置に送信する場所情報送信部と、を具備し、
前記クライアント装置は、
象徴情報を受け付ける象徴情報受付部と、
前記象徴情報受付部が受け付けた象徴情報を有する場所情報送信要求情報を前記サーバ装置に送信する場所情報送信要求情報送信部と、
前記サーバ装置から前記1以上の場所情報を受信する場所情報受信部と、
前記場所情報受信部が受信した場所情報が特定する情報格納装置に、情報の送信を要求する情報送信要求部と、
前記情報格納装置から、前記要求した情報を受信する情報受信部と、
前記情報受信部が受信した情報を出力する情報出力部と、を具備する情報処理システム。
【請求項３】
前記クライアント装置は、
前記場所情報受信部が受信した1以上の場所情報に関連する情報である1以上の場所関連情報を出力する場所関連情報出力部と、
前記場所関連情報出力部が出力した1以上の場所関連情報のうちの、1以上の場所関連情報に対する指示を受け付ける場所関連情報指示受付部と、をさらに具備し、
前記情報送信要求部は、
前記場所関連情報指示受付部が受け付けた指示に対する場所関連情報に関連する場所情報が特定する情報格納装置に、情報の送信を要求する請求項２記載の情報処理システム。
【請求項４】
前記クライアント装置において、
前記情報の形式に応じたアプリケーションにより、前記情報が出力される請求項１から請求項３いずれか記載の情報処理システム。
【請求項５】
前記クライアント装置は、
１以上の情報を格納している情報格納部と、
前記情報の出力指示を受け付ける出力指示受付部と、をさらに具備し、
前記情報出力部は、前記出力指示を受け付けた情報をも出力し、
前記象徴情報受付部は、前記出力された情報が有する象徴情報に対する指示をも受け付け、
前記象徴情報受付部が受け付けた象徴情報に基づいて登録情報を構成する登録構成部と、
前記登録構成部が構成した登録情報を、前記サーバ装置に送信する登録情報送信部と、をさらに具備し、
前記サーバ装置は、
前記クライアント装置から登録情報を受信する登録情報受信部と、
前記登録情報受信部が受信した登録情報が有する象徴情報と場所情報とに基づいて、管理情報を前記管理情報格納部に蓄積する管理情報蓄積部と、をさらに具備する請求項１から請求項４記載の情報処理システム。
【請求項６】
前記サーバ装置は、
前記登録情報受信部が受信した登録情報に基づいて、管理情報の蓄積の可否を判断する蓄積判断部をさらに具備し、
前記管理情報蓄積部は、
前記蓄積判断部における判断結果が蓄積可である場合のみ、前記管理情報を前記管理情報格納部に蓄積する請求項５記載の情報処理システム。
【請求項７】
前記蓄積判断部は、前記登録情報受信部が受信した登録情報が有する象徴情報と場所情報との対応を管理する管理情報が、既に前記管理情報格納部に存在しない場合にのみ、蓄積可であと判断する請求項６記載の情報処理システム。
【請求項８】
1以上の情報格納装置と、２以上のサーバ装置と、クライアント装置と、を具備する情報処理システムであって、
前記情報格納装置は、
1以上の情報を格納している情報格納部と、
前記クライアント装置からの要求に応じて、前記情報を前記クライアント装置に送信する情報送信部と、を具備し、
前記サーバ装置は、
前記1以上の情報格納装置が格納している情報に対応する情報である象徴情報と、前記情報が格納されている場所を特定する情報である場所情報の対応を管理する情報である管理情報を1以上格納している管理情報格納部と、
象徴情報を有する情報であり、場所情報の送信を要求する情報である場所情報送信要求情報を、前記クライアント装置から受信する場所情報送信要求情報受信部と、
前記場所情報送信要求情報が有する象徴情報に対応する1以上の場所情報を、前記管理情報に基づいて取得する場所情報取得部と、
前記場所情報取得部が取得した1以上の場所情報を、前記クライアントに送信する場所情報送信部と、を具備し、
前記クライアント装置は、
象徴情報を受け付ける象徴情報受付部と、
前記象徴情報受付部が受け付けた象徴情報を有する場所情報送信要求情報を前記２以上のサーバ装置に送信する場所情報送信要求情報送信部と、
前記２以上のサーバ装置のうち、1以上のサーバ装置から前記1以上の場所情報を受信する場所情報受信部と、
前記場所情報受信部が受信した1以上の場所情報に関連する情報である1以上の場所関連情報を出力する場所関連情報出力部と、を具備する情報処理システム。
【請求項９】
1以上の情報格納装置と、２以上のサーバ装置と、クライアント装置と、を具備する情報処理システムであって、
前記情報格納装置は、
1以上の情報を格納している情報格納部と、
前記クライアント装置からの要求に応じて、前記情報を前記クライアント装置に送信する情報送信部と、を具備し、
前記サーバ装置は、
前記1以上の情報格納装置が格納している情報に対応する情報である象徴情報と、前記情報が格納されている場所を特定する情報である場所情報の対応を管理する情報である管理情報を1以上格納している管理情報格納部と、
象徴情報を有する情報であり、場所情報の送信を要求する情報である場所情報送信要求情報を、前記クライアント装置から受信する場所情報送信要求情報受信部と、
前記場所情報送信要求情報が有する象徴情報に対応する1以上の場所情報を、前記管理情報に基づいて取得する場所情報取得部と、
前記場所情報取得部が取得した1以上の場所情報を、前記クライアントに送信する場所情報送信部と、を具備し、
前記クライアント装置は、
象徴情報を受け付ける象徴情報受付部と、
前記象徴情報受付部が受け付けた象徴情報を有する場所情報送信要求情報を前記２以上のサーバ装置に送信する場所情報送信要求情報送信部と、
前記２以上のサーバ装置のうち、1以上のサーバ装置から前記1以上の場所情報を受信する場所情報受信部と、
前記場所情報受信部が受信した場所情報が特定する情報格納装置に、情報の送信を要求する情報送信要求部と、
前記情報格納装置から、前記要求した情報を受信する情報受信部と、
前記情報受信部が受信した情報を出力する情報出力部と、を具備する情報処理システム。
【請求項１０】
前記クライアント装置は、
前記場所情報受信部が受信した1以上の場所情報に関連する情報である1以上の場所関連情報を出力する場所関連情報出力部と、
前記場所関連情報出力部が出力した1以上の場所関連情報のうちの、1以上の場所関連情報に対する指示を受け付ける場所関連情報指示受付部と、をさらに具備し、
前記情報送信要求部は、
前記場所関連情報指示受付部が受け付けた指示に対する場所関連情報に関連する場所情報が特定する情報格納装置に、情報の送信を要求する請求項９記載の情報処理システム。
【請求項１１】
前記クライアント装置は、
前記象徴情報受付部が受け付けた象徴情報に基づいて、場所情報送信要求情報を送信する１以上のサーバ装置を決定する検索サーバ装置決定部をさらに具備し、
前記場所情報送信要求情報送信部は、
前記検索サーバ装置決定部が決定した１以上のサーバ装置に、場所情報送信要求情報を送信する請求項８から請求項１０いずれか記載の情報処理システム。
【請求項１２】
前記クライアント装置は、
１以上の情報を格納している情報格納部と、
前記情報の出力指示を受け付ける出力指示受付部と、をさらに具備し、
前記情報出力部は、前記出力指示を受け付けた情報をも出力し、
前記象徴情報受付部は、前記出力された情報が有する象徴情報に対する指示をも受け付け、
前記象徴情報受付部が受け付けた象徴情報に基づいて登録情報を構成する登録構成部と、
前記登録構成部が構成した登録情報を、前記サーバ装置に送信する登録情報送信部と、をさらに具備し、
前記サーバ装置は、
前記クライアント装置から登録情報を受信する登録情報受信部と、
前記登録情報受信部が受信した登録情報が有する象徴情報と場所情報に基づいて、管理情報を前記管理情報格納部に蓄積する管理情報蓄積部と、をさらに具備する請求項８から請求項１１いずれか記載の情報処理システム。
【請求項１３】
前記クライアント装置は、
前記情報に基づいて、登録情報を送信する１以上のサーバ装置を決定する登録サーバ装置決定部をさらに具備し、
前記登録情報送信部は、
前記登録サーバ装置決定部が決定した１以上のサーバ装置に、登録情報を送信する請求項１２記載の情報処理システム。
【請求項１４】
２以上の情報格納装置と、クライアント装置と、を具備する情報処理システムであって、
前記情報格納装置は、
1以上の情報を格納している情報格納部と、
前記情報格納部に格納されている情報に対応する情報である象徴情報と、前記情報が格納されている場所を特定する情報である場所情報の対応を管理する情報である管理情報を1以上格納している管理情報格納部と、
象徴情報を有する情報であり、場所情報の送信を要求する情報である場所情報送信要求情報を、前記クライアント装置から受信する場所情報送信要求情報受信部と、
前記場所情報送信要求情報が有する象徴情報に対応する1以上の場所情報を、前記管理情報に基づいて取得する場所情報取得部と、
前記場所情報取得部が取得した1以上の場所情報を、前記クライアント装置に送信する場所情報送信部と、
前記クライアント装置からの要求に応じて、前記情報を前記クライアント装置に送信する情報送信部と、を具備し、
前記クライアント装置は、
象徴情報を受け付ける象徴情報受付部と、
前記象徴情報受付部が受け付けた象徴情報を有する場所情報送信要求情報を前記２以上の情報格納装置に送信する場所情報送信要求情報送信部と、
前記２以上の情報格納装置のうちの１以上の情報格納装置から前記1以上の場所情報を受信する場所情報受信部と、
前記場所情報受信部が受信した1以上の場所情報に関連する情報である1以上の場所関連情報を出力する場所関連情報出力部と、を具備する情報処理システム。
【請求項１５】
２以上の情報格納装置と、クライアント装置と、を具備する情報処理システムであって、
前記情報格納装置は、
1以上の情報を格納している情報格納部と、
前記情報格納部に格納されている情報に対応する情報である象徴情報と、前記情報が格納されている場所を特定する情報である場所情報の対応を管理する情報である管理情報を1以上格納している管理情報格納部と、
象徴情報を有する情報であり、場所情報の送信を要求する情報である場所情報送信要求情報を、前記クライアント装置から受信する場所情報送信要求情報受信部と、
前記場所情報送信要求情報が有する象徴情報に対応する1以上の場所情報を、前記管理情報に基づいて取得する場所情報取得部と、
前記場所情報取得部が取得した1以上の場所情報を、前記クライアント装置に送信する場所情報送信部と、
前記クライアント装置からの要求に応じて、前記情報を前記クライアント装置に送信する情報送信部と、を具備し、
前記クライアント装置は、
象徴情報を受け付ける象徴情報受付部と、
前記象徴情報受付部が受け付けた象徴情報を有する場所情報送信要求情報を前記２以上の情報格納装置に送信する場所情報送信要求情報送信部と、
前記２以上の情報格納装置のうちの１以上の情報格納装置から前記1以上の場所情報を受信する場所情報受信部と、
前記場所情報受信部が受信した場所情報が特定する情報格納装置に、情報の送信を要求する情報送信要求部と、
前記情報格納装置から、前記要求した情報を受信する情報受信部と、
前記情報受信部が受信した情報を出力する情報出力部と、を具備する情報処理システム。
【請求項１６】
前記クライアント装置は、
前記場所情報受信部が受信した1以上の場所情報に関連する情報である1以上の場所関連情報を出力する場所関連情報出力部と、
前記場所関連情報出力部が出力した1以上の場所関連情報のうちの、1以上の場所関連情報に対する指示を受け付ける場所関連情報指示受付部と、をさらに具備し、
前記情報送信要求部は、
前記場所関連情報指示受付部が受け付けた指示に対する場所関連情報に関連する場所情報が特定する情報格納装置に、情報の送信を要求する請求項１５記載の情報処理システム。
【請求項１７】
前記クライアント装置は、
前記象徴情報受付部が受け付けた象徴情報に基づいて、場所情報送信要求情報を送信する１以上の情報格納装置を決定する情報格納装置決定部をさらに具備し、
前記場所情報送信要求情報送信部は、
前記情報格納装置決定部が決定した１以上の情報格納装置に、場所情報送信要求情報を送信する請求項１４から請求項１６いずれか記載の情報処理システム。
【請求項１８】
前記情報格納装置は、
前記情報の出力指示を受け付ける出力指示受付部と、
前記出力指示を受け付けた情報を出力する情報出力部と、
前記出力された情報が有する象徴情報に対する指示を受け付ける象徴情報受付部と、
場所情報を受け付ける場所情報受付部と、
前記象徴情報受付部が受け付けた象徴情報と、前記場所情報受付部が取得した場所情報とに基づいて、前記管理情報格納部に管理情報を蓄積する管理情報蓄積部と、をさらに具備する請求項１４から請求項１７いずれか記載の情報処理システム。
【請求項１９】
前記象徴情報は、文字列情報である請求項１から請求項１８いずれか記載の情報処理システム。
【請求項２０】
前記象徴情報受付部は、指示デバイスを用いたなぞり操作により象徴情報を受け付ける請求項１９記載の情報処理システム。
【請求項２１】
前記象徴情報受付部は、
前記なぞり操作が完了した後、直ちに、象徴情報を受け付ける請求項２０記載の情報処理システム。
【請求項２２】
請求項１から請求項２１いずれか記載の情報処理システムを構成する情報格納装置。
【請求項２３】
請求項１から請求項１３いずれか記載の情報処理システムを構成するサーバ装置。
【請求項２４】
請求項１から請求項２１いずれか記載の情報処理システムを構成するクライアント装置。
【請求項２５】
指示デバイスによる象徴情報のなぞり操作を受け付け、前記なぞり操作が完了した後、直ちに、前記象徴情報に基づいて処理を行う情報処理装置。
【請求項２６】
前記処理は、外部の装置に対して、前記象徴情報をキーとする検索処理である請求項２５記載の情報処理装置。
【請求項２７】
コンピュータに、
前記1以上の情報格納装置が格納している情報に対応する情報である象徴情報と、前記情報が格納されている場所を特定する情報である場所情報の対応を管理する情報である管理情報を1以上格納しており、
象徴情報を有する情報であり、場所情報の送信を要求する情報である場所情報送信要求情報を、クライアント装置から受信する場所情報送信要求情報受信ステップと、
前記場所情報送信要求情報が有する象徴情報に対応する1以上の場所情報を、前記管理情報に基づいて取得する場所情報取得ステップと、
前記場所情報取得ステップで取得した1以上の場所情報を、前記クライアント装置に送信する場所情報送信ステップを実行させるためのプログラム。
【請求項２８】
コンピュータに、
クライアント装置から登録情報を受信する登録情報受信ステップと、
前記登録情報受信ステップで受信した登録情報が有する象徴情報と場所情報とに基づいて、管理情報を蓄積する管理情報蓄積ステップと、をさらに実行させるための請求項２７記載のプログラム。
【請求項２９】
コンピュータに、
登録情報受信ステップで受信した登録情報に基づいて、管理情報の蓄積の可否を判断する蓄積判断ステップをさらに実行させ、
前記管理情報蓄積ステップは、
前記蓄積判断ステップにおける判断結果が蓄積可である場合のみ、前記管理情報を蓄積する請求項２８記載のプログラム。
【請求項３０】
コンピュータに、
象徴情報を受け付ける象徴情報受付ステップと、
前記象徴情報受付ステップで受け付けた象徴情報を有する場所情報送信要求情報をサーバ装置に送信する場所情報送信要求情報送信ステップと、
前記サーバ装置から、管理情報に基づいて取得された1以上の場所情報を受信する場所情報受信ステップと、
前記場所情報受信ステップで受信した1以上の場所情報に関連する情報である1以上の場所関連情報を出力する場所関連情報出力ステップを実行させるためのプログラム。
【請求項３１】
コンピュータに、
象徴情報を受け付ける象徴情報受付ステップと、
前記象徴情報受付ステップで受け付けた象徴情報を有する場所情報送信要求情報をサーバ装置に送信する場所情報送信要求情報送信ステップと、
前記サーバ装置から、管理情報に基づいて取得された1以上の場所情報を受信する場所情報受信ステップと、
前記場所情報受信ステップで受信した場所情報が特定する情報格納装置に、情報の送信を要求する情報送信要求ステップと、
前記情報格納装置から、前記要求した情報を受信する情報受信ステップと、
前記情報受信ステップで受信した情報を出力する情報出力ステップを実行させるためのプログラム。
【請求項３２】
コンピュータに、
前記場所情報受信ステップで受信した1以上の場所情報に関連する情報である1以上の場所関連情報を出力する場所関連情報出力ステップと、
前記場所関連情報出力ステップで出力した1以上の場所関連情報のうちの、1以上の場所関連情報に対する指示を受け付ける場所関連情報指示受付ステップと、をさらに実行させ、
前記情報送信要求ステップは、
前記場所関連情報指示受付ステップで受け付けた指示に対する場所関連情報に関連する場所情報が特定する情報格納装置に、情報の送信を要求する請求項２９記載のプログラム。
【請求項３３】
前記情報出力ステップは、
前記情報の形式に応じたアプリケーションにより、前記情報を出力する請求項３０から請求項３２いずれか記載のプログラム。
【請求項３４】
コンピュータに、
格納している情報の出力指示を受け付ける出力指示受付ステップと、をさらに実行させ、
前記情報出力ステップにおいて、前記出力指示を受け付けた情報をも出力し、
前記象徴情報受付ステップにおいて、前記出力された情報が有する象徴情報に対する指示をも受け付け、
前記象徴情報受付ステップで受け付けた象徴情報に基づいて登録情報を構成する登録構成ステップと、
前記登録構成ステップで構成した登録情報を、前記サーバ装置に送信する登録情報送信ステップと、をさらに実行させる請求項３０から請求項３３いずれか記載のプログラム。
【請求項３５】
コンピュータに、
象徴情報を受け付ける象徴情報受付ステップと、
前記象徴情報受付ステップで受け付けた象徴情報を有する場所情報送信要求情報を２以上のサーバ装置に送信する場所情報送信要求情報送信ステップと、
前記２以上のサーバ装置のうち、1以上のサーバ装置から、管理情報に基づいて取得された1以上の場所情報を受信する場所情報受信ステップと、
前記場所情報受信ステップで受信した1以上の場所情報に関連する情報である1以上の場所関連情報を出力する場所関連情報出力ステップを実行させるためのプログラム。
【請求項３６】
コンピュータに、
象徴情報を受け付ける象徴情報受付ステップと、
前記象徴情報受付ステップで受け付けた象徴情報を有する場所情報送信要求情報を２以上のサーバ装置に送信する場所情報送信要求情報送信ステップと、
前記２以上のサーバ装置のうち、1以上のサーバ装置から、管理情報に基づいて取得された1以上の場所情報を受信する場所情報受信ステップと、
前記場所情報受信ステップで受信した場所情報が特定する情報格納装置に、情報の送信を要求する情報送信要求ステップと、
前記情報格納装置から、前記要求した情報を受信する情報受信ステップと、
前記情報受信ステップで受信した情報を出力する情報出力ステップと、を実行させるためのプログラム。
【請求項３７】
コンピュータに、
前記場所情報受信ステップで受信した1以上の場所情報に関連する情報である1以上の場所関連情報を出力する場所関連情報出力ステップと、
前記場所関連情報出力ステップで出力した1以上の場所関連情報のうちの、1以上の場所関連情報に対する指示を受け付ける場所関連情報指示受付ステップと、をさらに実行させ、
前記情報送信要求ステップは、
前記場所関連情報指示受付ステップで受け付けた指示に対する場所関連情報に関連する場所情報が特定する情報格納装置に、情報の送信を要求する請求項３６記載のプログラム。
【請求項３８】
コンピュータに、
格納している情報の出力指示を受け付ける出力指示受付ステップと、をさらに実行させ、
前記情報出力ステップにおいて、前記出力指示を受け付けた情報をも出力し、
前記象徴情報受付ステップにおいて、前記出力された情報が有する象徴情報に対する指示をも受け付け、
コンピュータに、
前記象徴情報受付ステップで受け付けた象徴情報に基づいて登録情報を構成する登録構成ステップと、
前記登録構成ステップで構成した登録情報を、前記サーバ装置に送信する登録情報送信部ステップをさらに実行させる請求項３５から請求項３７いずれか記載のプログラム。
【請求項３９】
コンピュータに、
象徴情報を受け付ける象徴情報受付ステップと、
前記象徴情報受付ステップで受け付けた象徴情報を有する場所情報送信要求情報を２以上の情報格納装置に送信する場所情報送信要求情報送信ステップと、
前記２以上の情報格納装置のうちの１以上の情報格納装置から、管理情報に基づいて取得された1以上の場所情報を受信する場所情報受信ステップと、
前記場所情報受信ステップで受信した1以上の場所情報に関連する情報である1以上の場所関連情報を出力する場所関連情報出力ステップと、を実行させるためのプログラム。
【請求項４０】
コンピュータに、
象徴情報を受け付ける象徴情報受付ステップと、
前記象徴情報受付ステップで受け付けた象徴情報を有する場所情報送信要求情報を２以上の情報格納装置に送信する場所情報送信要求情報送信ステップと、
前記２以上の情報格納装置のうちの１以上の情報格納装置から、管理情報に基づいて1以上の場所情報を受信する場所情報受信ステップと、
前記場所情報受信ステップで受信した場所情報が特定する情報格納装置に、情報の送信を要求する情報送信要求ステップと、
前記情報格納装置から、前記要求した情報を受信する情報受信ステップと、
前記情報受信ステップで受信した情報を出力する情報出力ステップと、を実行させるためのプログラム。
【請求項４１】
コンピュータに、
前記場所情報受信ステップで受信した1以上の場所情報に関連する情報である1以上の場所関連情報を出力する場所関連情報出力ステップと、
前記場所関連情報出力ステップで出力した1以上の場所関連情報のうちの、1以上の場所関連情報に対する指示を受け付ける場所関連情報指示受付ステップと、をさらに実行させ、
前記情報送信要求ステップにおいて、
前記場所関連情報指示受付ステップで受け付けた指示に対する場所関連情報に関連する場所情報が特定する情報格納装置に、情報の送信を要求する請求項４０記載のプログラム。
【請求項４２】
コンピュータに、
格納されている情報に対応する情報である象徴情報と、前記情報が格納されている場所を特定する情報である場所情報の対応を管理する情報である管理情報を1以上格納しており、
象徴情報を有する情報であり、場所情報の送信を要求する情報である場所情報送信要求情報を、クライアント装置から受信する場所情報送信要求情報受信ステップと、
前記場所情報送信要求情報が有する象徴情報に対応する1以上の場所情報を、前記管理情報に基づいて取得する場所情報取得ステップと、
前記場所情報取得ステップで取得した1以上の場所情報を、前記クライアント装置に送信する場所情報送信ステップを実行させるためのプログラム。
【発明の詳細な説明】
【技術分野】
【０００１】
本発明は、容易に情報を取得できる情報処理システム等に関するものである。
【背景技術】
【０００２】
第一の従来技術において、Ｗｅｂブラウザの、いわゆる「お気に入り」機能がある。また、お気に入りの情報を共有することも提案されている。
【０００３】
また、第二の従来技術において、Ｗｅｂブラウザがある（例えば、特許文献１参照）。本Ｗｅｂブラウザは、Ｗｅｂブラウザで、１ページ分のデータが長く、Ｗｅｂブラウザの画面に、一度に表示できないことにより生じる１ページ分のデータの内、未表示部分があることに、気づかなかったり、または、未表示部分があることに気づいても、スクロールするのが煩わしいため、スクロークせずに、重要なデータを読み損なったりする、という問題を軽減するＷｅｂブラウザである。具体的には、インターネットやイントラネット上の各種のＨＴＭＬファイルやデータを閲覧・表示するＷｅｂブラウザ において、ＨＴＭＬファイルやデータの１ページ分のデータを全部表示する第１の画面と；読みやすいように該第１の画面表示を部分的に拡大して表示する第２の画面を備えることを特徴とするＷｅｂブラウザである。
また、第三の従来技術において、キーワードを入力して情報を得るＷｅｄの検索エンジンがある。
【特許文献１】特開２００２−１３２４１０号公報（第１頁、第１図等）
【非特許文献１】ホームページ、インターネット＜ＵＲＬ：http://www.google.co.jp/＞
【発明の開示】
【発明が解決しようとする課題】
【０００４】
しかしながら、第一の従来技術において、多数のユーザが場所情報（ＵＲＬなど）を含むお気に入りの情報を共有するだけであり、登録されているすべての場所情報を取得してしまい、ユーザが欲しない場所情報も多数取得する。つまり、ユーザが必要な情報に対応する場所情報のみを選択して得ることができない、という課題があった。
また、第一、第二、第三の従来技術において、ブラウズできるのはＨＴＭＬで記載されたファイルのみであり、種々のタイプの情報をブラウズできない、という課題があった。
また、第一、第二の従来技術において、他のユーザに利用される情報を登録する場合に、登録の可否をチェックできない、という課題があった。
【０００５】
また、第三の従来技術において、例えば、キーワードと場所情報が一のファイルに関する情報の中に存在しないので、検索エンジン側でキーワードに対応する場所情報を取得するために、サーバ装置の負荷が高かった、という課題がある。
さらに、第一、第二、第三の従来技術において、欲しい情報を得るための操作が面倒である、という課題があった。
【課題を解決するための手段】
【０００６】
本第一の発明の情報処理システムは、1以上の情報格納装置と、サーバ装置と、クライアント装置と、を具備する情報処理システムであって、前記情報格納装置は、1以上の情報を格納している情報格納部と、前記クライアント装置からの要求に応じて、前記情報を前記クライアント装置に送信する情報送信部と、を具備し、前記サーバ装置は、前記1以上の情報格納装置が格納している情報に対応する情報である象徴情報と、前記情報が格納されている場所を特定する情報である場所情報の対応を管理する情報である管理情報を1以上格納している管理情報格納部と、象徴情報を有する情報であり、場所情報の送信を要求する情報である場所情報送信要求情報を、前記クライアント装置から受信する場所情報送信要求情報受信部と、前記場所情報送信要求情報が有する象徴情報に対応する1以上の場所情報を、前記管理情報に基づいて取得する場所情報取得部と、前記場所情報取得部が取得した1以上の場所情報を、前記クライアント装置に送信する場所情報送信部と、を具備し、前記クライアント装置は、象徴情報を受け付ける象徴情報受付部と、前記象徴情報受付部が受け付けた象徴情報を有する場所情報送信要求情報を前記サーバ装置に送信する場所情報送信要求情報送信部と、前記サーバ装置から前記1以上の場所情報を受信する場所情報受信部と、前記場所情報受信部が受信した1以上の場所情報に関連する情報である1以上の場所関連情報を出力する場所関連情報出力部と、を具備する情報処理システムである。
かかる構成により、ユーザが必要な情報に対応する場所情報のみを選択して得ることができる。したがって、ユーザは、簡単に早く、必要な情報を得ることができる。
【０００７】
また、本第二の発明の情報処理システムは、１以上の情報格納装置と、サーバ装置と、クライアント装置と、を具備する情報処理システムであって、前記情報格納装置は、１以上の情報を格納している情報格納部と、前記クライアント装置からの要求に応じて、前記情報を前記クライアント装置に送信する情報送信部と、を具備し、前記サーバ装置は、前記１以上の情報格納装置が格納している情報に対応する情報である象徴情報と、前記情報が格納されている場所を特定する情報である場所情報の対応を管理する情報である管理情報を１以上格納している管理情報格納部と、象徴情報を有する情報であり、場所情報の送信を要求する情報である場所情報送信要求情報を、前記クライアント装置から受信する場所情報送信要求情報受信部と、前記場所情報送信要求情報が有する象徴情報に対応する１以上の場所情報を、前記管理情報に基づいて取得する場所情報取得部と、前記場所情報取得部が取得した１以上の場所情報を、前記クライアント装置に送信する場所情報送信部と、を具備し、前記クライアント装置は、象徴情報を受け付ける象徴情報受付部と、前記象徴情報受付部が受け付けた象徴情報を有する場所情報送信要求情報を前記サーバ装置に送信する場所情報送信要求情報送信部と、前記サーバ装置から前記１以上の場所情報を受信する場所情報受信部と、前記場所情報受信部が受信した場所情報が特定する情報格納装置に、情報の送信を要求する情報送信要求部と、前記情報格納装置から、前記要求した情報を受信する情報受信部と、前記情報受信部が受信した情報を出力する情報出力部と、を具備する情報処理システムである。
かかる構成により、ユーザが必要な情報に対応する場所情報のみを選択し、かつ簡単に早く、必要な情報を得ることができる。
【０００８】
また、本第三の発明の情報処理システムは、第二の発明に対して、前記クライアント装置は、前記場所情報受信部が受信した１以上の場所情報に関連する情報である１以上の場所関連情報を出力する場所関連情報出力部と、前記場所関連情報出力部が出力した１以上の場所関連情報のうちの、１以上の場所関連情報に対する指示を受け付ける場所関連情報指示受付部と、をさらに具備し、前記情報送信要求部は、前記場所関連情報指示受付部が受け付けた指示に対する場所関連情報に関連する場所情報が特定する情報格納装置に、情報の送信を要求する情報処理システムである。
かかる構成により、ユーザが必要な情報に対応する場所情報のみを選択し、かつ簡単に早く、必要な情報を得ることができる。
【０００９】
また、本第四の発明の情報処理システムは、第一から第三いずれかの発明に対して、前記クライアント装置において、前記情報の形式に応じたアプリケーションにより、前記情報が出力される情報処理システムである。
かかる構成により、ユーザは、種々のタイプの情報を得ることができる。
【００１０】
また、本第五の発明の情報処理システムは、第一から第四いずれかの発明に対して、前記クライアント装置は、１以上の情報を格納している情報格納部と、前記情報の出力指示を受け付ける出力指示受付部と、をさらに具備し、前記情報出力部は、前記出力指示を受け付けた情報をも出力し、前記象徴情報受付部は、前記出力された情報が有する象徴情報に対する指示をも受け付け、前記象徴情報受付部が受け付けた象徴情報に基づいて登録情報を構成する登録構成部と、前記登録構成部が構成した登録情報を、前記サーバ装置に送信する登録情報送信部と、をさらに具備し、前記サーバ装置は、前記クライアント装置から登録情報を受信する登録情報受信部と、前記登録情報受信部が受信した登録情報が有する象徴情報と場所情報とに基づいて、管理情報を前記管理情報格納部に蓄積する管理情報蓄積部と、をさらに具備する情報処理システムである。
かかる構成により、自分が作成した情報を簡単に登録でき、他のユーザに当該情報を利用してもらえる。
【００１１】
また、本第六の発明の情報処理システムは、第五の発明に対して、前記サーバ装置は、前記登録情報受信部が受信した登録情報に基づいて、管理情報の蓄積の可否を判断する蓄積判断部をさらに具備し、前記管理情報蓄積部は、前記蓄積判断部における判断結果が蓄積可である場合のみ、前記管理情報を前記管理情報格納部に蓄積する情報処理システムである。
かかる構成により、他のユーザに利用される情報を登録する場合に、登録の可否をチェックできる。
【００１２】
また、本第七の発明の情報処理システムは、第六の発明に対して、前記蓄積判断部は、前記登録情報受信部が受信した登録情報が有する象徴情報と場所情報との対応を管理する管理情報が、既に前記管理情報格納部に存在しない場合にのみ、蓄積可であと判断する情報処理システムである。
かかる構成により、他のユーザに利用される情報を登録する場合に、重複した情報の登録がなくなり、好適である。
【００１３】
また、本第八の発明の情報処理システムは、１以上の情報格納装置と、２以上のサーバ装置と、クライアント装置と、を具備する情報処理システムであって、前記情報格納装置は、１以上の情報を格納している情報格納部と、前記クライアント装置からの要求に応じて、前記情報を前記クライアント装置に送信する情報送信部と、を具備し、前記サーバ装置は、前記１以上の情報格納装置が格納している情報に対応する情報である象徴情報と、前記情報が格納されている場所を特定する情報である場所情報の対応を管理する情報である管理情報を１以上格納している管理情報格納部と、象徴情報を有する情報であり、場所情報の送信を要求する情報である場所情報送信要求情報を、前記クライアント装置から受信する場所情報送信要求情報受信部と、前記場所情報送信要求情報が有する象徴情報に対応する１以上の場所情報を、前記管理情報に基づいて取得する場所情報取得部と、前記場所情報取得部が取得した１以上の場所情報を、前記クライアントに送信する場所情報送信部と、を具備し、前記クライアント装置は、象徴情報を受け付ける象徴情報受付部と、前記象徴情報受付部が受け付けた象徴情報を有する場所情報送信要求情報を前記２以上のサーバ装置に送信する場所情報送信要求情報送信部と、前記２以上のサーバ装置のうち、１以上のサーバ装置から前記１以上の場所情報を受信する場所情報受信部と、前記場所情報受信部が受信した１以上の場所情報に関連する情報である１以上の場所関連情報を出力する場所関連情報出力部と、を具備する情報処理システムである。
かかる構成により、ユーザが必要な情報に対応する場所情報のみを選択して得ることができる。また、２以上のサーバ装置に場所情報が分散して登録できる結果、柔軟なシステム構築が可能となる。
【００１４】
また、本第九の発明の情報処理システムは、１以上の情報格納装置と、２以上のサーバ装置と、クライアント装置と、を具備する情報処理システムであって、前記情報格納装置は、１以上の情報を格納している情報格納部と、前記クライアント装置からの要求に応じて、前記情報を前記クライアント装置に送信する情報送信部と、を具備し、前記サーバ装置は、前記１以上の情報格納装置が格納している情報に対応する情報である象徴情報と、前記情報が格納されている場所を特定する情報である場所情報の対応を管理する情報である管理情報を１以上格納している管理情報格納部と、象徴情報を有する情報であり、場所情報の送信を要求する情報である場所情報送信要求情報を、前記クライアント装置から受信する場所情報送信要求情報受信部と、前記場所情報送信要求情報が有する象徴情報に対応する１以上の場所情報を、前記管理情報に基づいて取得する場所情報取得部と、前記場所情報取得部が取得した１以上の場所情報を、前記クライアントに送信する場所情報送信部と、を具備し、前記クライアント装置は、象徴情報を受け付ける象徴情報受付部と、前記象徴情報受付部が受け付けた象徴情報を有する場所情報送信要求情報を前記２以上のサーバ装置に送信する場所情報送信要求情報送信部と、前記２以上のサーバ装置のうち、１以上のサーバ装置から前記１以上の場所情報を受信する場所情報受信部と、前記場所情報受信部が受信した場所情報が特定する情報格納装置に、情報の送信を要求する情報送信要求部と、前記情報格納装置から、前記要求した情報を受信する情報受信部と、前記情報受信部が受信した情報を出力する情報出力部と、を具備する情報処理システムである。
【００１５】
かかる構成により、ユーザが必要な情報に対応する場所情報のみを選択し、かつ必要な情報を容易に得ることができる。また、２以上のサーバ装置に場所情報が分散して登録できる結果、柔軟なシステム構築が可能となる。
【００１６】
また、本第十の発明の情報処理システムは、第九の発明に対して、前記クライアント装置は、前記場所情報受信部が受信した１以上の場所情報に関連する情報である１以上の場所関連情報を出力する場所関連情報出力部と、前記場所関連情報出力部が出力した１以上の場所関連情報のうちの、１以上の場所関連情報に対する指示を受け付ける場所関連情報指示受付部と、をさらに具備し、前記情報送信要求部は、前記場所関連情報指示受付部が受け付けた指示に対する場所関連情報に関連する場所情報が特定する情報格納装置に、情報の送信を要求する情報処理システムである。
【００１７】
かかる構成により、ユーザが必要な情報に対応する場所情報のみを選択し、かつ必要な情報を容易に得ることができる。また、２以上のサーバ装置に場所情報が分散して登録できる結果、柔軟なシステム構築が可能となる。
【００１８】
また、本第十一の発明の情報処理システムは、第八から第十いずれかの発明に対して、前記クライアント装置は、前記象徴情報受付部が受け付けた象徴情報に基づいて、場所情報送信要求情報を送信する１以上のサーバ装置を決定する検索サーバ装置決定部をさらに具備し、前記場所情報送信要求情報送信部は、前記検索サーバ装置決定部が決定した１以上のサーバ装置に、場所情報送信要求情報を送信する情報処理システムである。
かかる構成により、ユーザが必要な情報に対応する場所情報のみを選択して得ることができる。また、２以上のサーバ装置のうち、検索するサーバ装置を選択するので、高速に場所情報を得ることができる。
【００１９】
また、本第十二の発明の情報処理システムは、第八から第十一いずれかの発明に対して、前記クライアント装置は、１以上の情報を格納している情報格納部と、前記情報の出力指示を受け付ける出力指示受付部と、をさらに具備し、前記情報出力部は、前記出力指示を受け付けた情報をも出力し、前記象徴情報受付部は、前記出力された情報が有する象徴情報に対する指示をも受け付け、前記象徴情報受付部が受け付けた象徴情報に基づいて登録情報を構成する登録構成部と、前記登録構成部が構成した登録情報を、前記サーバ装置に送信する登録情報送信部と、をさらに具備し、前記サーバ装置は、前記クライアント装置から登録情報を受信する登録情報受信部と、前記登録情報受信部が受信した登録情報が有する象徴情報と場所情報に基づいて、管理情報を前記管理情報格納部に蓄積する管理情報蓄積部と、をさらに具備する情報処理システムである。
かかる構成により、ユーザが必要な情報に対応する場所情報のみを選択して得ることができる。
【００２０】
また、本第十三の発明の情報処理システムは、第十二の発明に対して、前記クライアント装置は、前記情報に基づいて、登録情報を送信する１以上のサーバ装置を決定する登録サーバ装置決定部をさらに具備し、前記登録情報送信部は、前記登録サーバ装置決定部が決定した１以上のサーバ装置に、登録情報を送信する情報処理システムである。
かかる構成により、ユーザが必要な情報に対応する場所情報のみを選択して得ることができる。また、２以上のサーバ装置に場所情報が分散して登録できる結果、柔軟なシステム構築が可能となる。
【００２１】
また、本第十四の発明の情報処理システムは、２以上の情報格納装置と、クライアント装置と、を具備する情報処理システムであって、前記情報格納装置は、１以上の情報を格納している情報格納部と、前記情報格納部に格納されている情報に対応する情報である象徴情報と、前記情報が格納されている場所を特定する情報である場所情報の対応を管理する情報である管理情報を１以上格納している管理情報格納部と、象徴情報を有する情報であり、場所情報の送信を要求する情報である場所情報送信要求情報を、前記クライアント装置から受信する場所情報送信要求情報受信部と、前記場所情報送信要求情報が有する象徴情報に対応する１以上の場所情報を、前記管理情報に基づいて取得する場所情報取得部と、前記場所情報取得部が取得した１以上の場所情報を、前記クライアント装置に送信する場所情報送信部と、前記クライアント装置からの要求に応じて、前記情報を前記クライアント装置に送信する情報送信部と、を具備し、前記クライアント装置は、象徴情報を受け付ける象徴情報受付部と、前記象徴情報受付部が受け付けた象徴情報を有する場所情報送信要求情報を前記２以上の情報格納装置に送信する場所情報送信要求情報送信部と、前記２以上の情報格納装置のうちの１以上の情報格納装置から前記１以上の場所情報を受信する場所情報受信部と、前記場所情報受信部が受信した１以上の場所情報に関連する情報である１以上の場所関連情報を出力する場所関連情報出力部と、を具備する情報処理システムである。
かかる構成により、ユーザが必要な情報に対応する場所情報のみを選択して得ることができる。また、本システム構成では、サーバ装置が不要となり、システムの柔軟性が増大する。
【００２２】
また、本第十五の発明の情報処理システムは、２以上の情報格納装置と、クライアント装置と、を具備する情報処理システムであって、前記情報格納装置は、１以上の情報を格納している情報格納部と、前記情報格納部に格納されている情報に対応する情報である象徴情報と、前記情報が格納されている場所を特定する情報である場所情報の対応を管理する情報である管理情報を１以上格納している管理情報格納部と、象徴情報を有する情報であり、場所情報の送信を要求する情報である場所情報送信要求情報を、前記クライアント装置から受信する場所情報送信要求情報受信部と、前記場所情報送信要求情報が有する象徴情報に対応する１以上の場所情報を、前記管理情報に基づいて取得する場所情報取得部と、前記場所情報取得部が取得した１以上の場所情報を、前記クライアント装置に送信する場所情報送信部と、前記クライアント装置からの要求に応じて、前記情報を前記クライアント装置に送信する情報送信部と、を具備し、前記クライアント装置は、象徴情報を受け付ける象徴情報受付部と、前記象徴情報受付部が受け付けた象徴情報を有する場所情報送信要求情報を前記２以上の情報格納装置に送信する場所情報送信要求情報送信部と、前記２以上の情報格納装置のうちの１以上の情報格納装置から前記１以上の場所情報を受信する場所情報受信部と、前記場所情報受信部が受信した場所情報が特定する情報格納装置に、情報の送信を要求する情報送信要求部と、前記情報格納装置から、前記要求した情報を受信する情報受信部と、前記情報受信部が受信した情報を出力する情報出力部と、を具備する情報処理システムである。
かかる構成により、ユーザが必要な情報に対応する場所情報のみを選択し、かつ容易に情報を得ることができる。また、本システム構成では、サーバ装置が不要となり、システムの柔軟性が増大する。
【００２３】
また、本第十六の発明の情報処理システムは、第十五の発明に対して、前記クライアント装置は、前記場所情報受信部が受信した１以上の場所情報に関連する情報である１以上の場所関連情報を出力する場所関連情報出力部と、前記場所関連情報出力部が出力した１以上の場所関連情報のうちの、１以上の場所関連情報に対する指示を受け付ける場所関連情報指示受付部と、をさらに具備し、前記情報送信要求部は、前記場所関連情報指示受付部が受け付けた指示に対する場所関連情報に関連する場所情報が特定する情報格納装置に、情報の送信を要求する情報処理システムである。
かかる構成により、ユーザが必要な情報に対応する場所情報のみを選択して得ることができる。また、本システム構成では、サーバ装置が不要となり、システムの柔軟性が増大する。
【００２４】
また、本第十七の発明の情報処理システムは、第十四から第十六いずれかの発明に対して、前記クライアント装置は、前記象徴情報受付部が受け付けた象徴情報に基づいて、場所情報送信要求情報を送信する１以上の情報格納装置を決定する情報格納装置決定部をさらに具備し、前記場所情報送信要求情報送信部は、前記情報格納装置決定部が決定した１以上の情報格納装置に、場所情報送信要求情報を送信する情報処理システムである。
かかる構成により、指示された象徴情報に基づいて、検索するクライアント装置を選択でき、その結果、場所情報の取得速度が大幅に向上する。
【００２５】
また、本第十八の発明の情報処理システムは、第十四から第十七いずれかの発明に対して、前記情報格納装置は、前記情報の出力指示を受け付ける出力指示受付部と、前記出力指示を受け付けた情報を出力する情報出力部と、前記出力された情報が有する象徴情報に対する指示を受け付ける象徴情報受付部と、場所情報を受け付ける場所情報受付部と、前記象徴情報受付部が受け付けた象徴情報と、前記場所情報受付部が取得した場所情報とに基づいて、前記管理情報格納部に管理情報を蓄積する管理情報蓄積部と、をさらに具備する情報処理システムである。
かかる構成により、自分が作成した情報を簡単に登録でき、他のユーザに当該情報を利用してもらえる。
また、本第十九の発明の情報処理システムは、第一から第十八いずれかの発明に対して、前記象徴情報は、文字列情報である情報処理システムである。
また、本第二十の発明の情報処理システムは、第十九の発明に対して、前記象徴情報受付部は、指示デバイスを用いたなぞり操作により象徴情報を受け付ける情報処理システムである。
かかる構成により、ユーザは、極めて容易に情報を取得できる。
また、本第二十一の発明の情報処理システムは、第二十の発明に対して、前記象徴情報受付部は、前記なぞり操作が完了した後、直ちに、象徴情報を受け付ける情報処理システムである。
かかる構成により、ユーザは、極めて容易に情報を取得できる。
また、本第二十二の発明の情報処理システムは、指示デバイスによる象徴情報のなぞり操作を受け付け、前記なぞり操作が完了した後、直ちに、前記象徴情報に基づいて処理を行う情報処理装置である。
また、本第二十三の発明の情報処理システムは、第二十五の発明に対して、前記処理は、外部の装置に対して、前記象徴情報をキーとする検索処理である情報処理装置である。
かかる構成により、ユーザは、極めて容易にアプリケーション（検索等のアプリ）に文字列の情報を渡すことができ、容易にアプリケーションを実行できる。
【発明の効果】
【００２６】
本発明による情報処理システムによれば、極めて容易に情報を取得できる。
【発明を実施するための最良の形態】
【００２７】
以下、情報処理システム等の実施形態について図面を参照して説明する。なお、実施の形態において同じ符号を付した構成要素は同様の動作を行うので、再度の説明を省略する場合がある。
（実施の形態１）
【００２８】
本実施の形態における情報処理システムは、1以上の情報格納装置と、一のサーバ装置と、1以上のクライアント装置と、を具備する情報処理システムであり、クライアント装置は1以上の情報格納装置から情報を取得する。サーバ装置は、クライアント装置のユーザが欲する情報の格納場所である場所情報を保持しており、クライアント装置からの要求に対応して、場所情報をクライアント装置に送信する。
【００２９】
図１は、本情報処理システムの概念図である。本情報処理システムは、1以上の情報格納装置１１（１１（１）から１１（ｎ））と、一のサーバ装置１２と、1以上のクライアント装置１３（１３（１）から１３（ｍ））と、を具備する。各装置は、情報の送受信が可能である。各装置は、例えば、インターネットで相互に接続されている。ただし、情報の送受信の手段は、通信手段でも、放送手段等でも良い。
図２は、本実施の形態における情報処理システムのブロック図である。
情報格納装置１１は、情報格納部１１０１、情報送信部１１０２を具備する。
【００３０】
サーバ装置１２は、管理情報格納部１２０１、場所情報送信要求情報受信部１２０２、場所情報取得部１２０３、場所情報送信部１２０４、登録情報受信部１２０５、蓄積判断部１２０６、管理情報蓄積部１２０７を具備する。
【００３１】
クライアント装置１３は、出力指示受付部１３０１、情報出力部１３０２、象徴情報受付部１３０３、場所情報送信要求情報送信部１３０４、場所情報受信部１３０５、場所関連情報出力部１３０６、場所関連情報指示受付部１３０７、情報送信要求部１３０８、情報受信部１３０９、登録構成部１３１０、登録情報送信部１３１１、情報格納部１１０１を具備する。
【００３２】
情報格納部１１０１は、1以上の情報を格納している。情報とは、例えば、ファイルであり、当該ファイルの中には、ユーザにとって有用なデータ等が記録されている。情報とは、例えば、ファイル以外のデータベース等でも良い。情報がファイルである場合、ファイルのタイプは、テキストでも、表計算ソフトのファイルでも、ビットマップでも、動画でも、音楽でも、音声でも良い。つまり、ファイルのタイプは、問わない。情報格納部１１０１は、不揮発性の記録媒体が好適であるが、揮発性の記録媒体でも実現可能である。
【００３３】
情報送信部１１０２は、クライアント装置１３からの要求に応じて、情報をクライアント装置１３に送信する。情報送信部１１０２は、通常、無線または有線の通信手段で実現されるが、放送手段で実現されても良い。
【００３４】
管理情報格納部１２０１は、1以上の情報格納装置１１が格納している情報に対応する情報である象徴情報と、前記情報が格納されている場所を特定する情報である場所情報の対応を管理する情報である管理情報を1以上格納している。象徴情報は、例えば、情報を特定するための名称やタイトルである。象徴情報は、例えば、情報がファイルである場合、当該ファイルのファイル名である。象徴情報は、例えば、情報がファイルである場合、当該ファイルの１行目の文字列である。象徴情報は、情報と対応付けられる情報であれば良い。象徴情報は、文字列からなる文字列情報であることは好適である。象徴情報は、後述するように、マウスなどの指示デバイスでなぞり操作することにより指示される情報であることは好適であるからである。ただし、象徴情報は、ビットマップや音声データ等でも良い。象徴情報のデータタイプは問わない。場所情報は、例えば、ＵＲＬや、ＵＲＩや、情報格納装置１１のＩＰアドレスや、情報格納装置１１のＩＰアドレスとフォルダ名などの情報である。管理情報は、例えば、1以上の情報格納装置１１が格納している情報に対応する情報である象徴情報と、情報が格納されている場所を特定する情報である場所情報を有する情報である。管理情報は、例えば、外部装置に記憶されている象徴情報のポインタ情報と、同一または他の外部装置に記憶されている場所情報のポインタ情報とを有する情報等でも良い。管理情報は、一の象徴情報に関する情報（象徴情報、または象徴情報のポインタ情報など）と、２以上の場所情報に関する情報（場所情報、または場所情報のポインタ情報など）を有することは好適である。管理情報の構造は、例えば、ファイルである。管理情報の構造がファイルである場合、当該ファイルのファイル名は象徴情報を一部または全部に有し、当該ファイルの中に１以上の場所情報が格納されていることは好適である。かかる場合、象徴情報に対応する場所情報が存在するか否かの判断、象徴情報に対応する場所情報の取得が、既存のファイルシステム上で、極めて高速にできる。また、既存のファイルシステム上で、かかる管理情報の構築が容易である。また、管理情報は、例えば、データベースのテーブルのレコードでも良い。かかる場合、管理情報は、例えば、象徴情報と場所情報を有するレコードである。その他、管理情報のデータ構造は問わない。管理情報格納部１２０１は、不揮発性の記録媒体が好適であるが、揮発性の記録媒体でも実現可能である。なお、「なぞり操作」とは、マウス等の指示デバイスでなぞる操作を言う。「なぞり操作」とは、例えば、マウスの左ボタンを押さえた状態で、マウスポインタの座標位置を動かす操作である。文字列の情報をなぞり操作をした場合、通常、左ボタンが押さえられた状態でマウスポインタが移動した箇所の文字列が選択され、その文字列が反転表示される。その他、「なぞり操作」とは、例えば、マウスのボタンを押下せずにマウスポインタを移動させた場合も含んでも良い。かかる場合、例えば、「なぞり操作」の始点は、最初に所定時間以上、マウスポインタが静止した座標位置であり、「なぞり操作」の終点は、次に所定時間以上、マウスポインタが静止した座標位置である。
【００３５】
場所情報送信要求情報受信部１２０２は、象徴情報を有する情報であり、場所情報を含む情報の送信を要求する情報である場所情報送信要求情報を、クライアント装置１３から受信する。場所情報送信要求情報は、象徴情報と同じでも良い。場所情報送信要求情報は、例えば、送信要求のコマンドと、象徴情報からなる情報でも良い。場所情報送信要求情報受信部１２０２は、通常、無線または有線の通信手段で実現されるが、放送を受信する手段で実現されても良い。
【００３６】
場所情報取得部１２０３は、場所情報送信要求情報受信部１２０２が受信した場所情報送信要求情報が有する象徴情報に対応する1以上の場所情報を、管理情報格納部１２０１の管理情報に基づいて取得する。管理情報が、象徴情報と場所情報を対で有する場合、場所情報取得部１２０３は、場所情報送信要求情報受信部１２０２が受信した場所情報送信要求情報が有する象徴情報と対になるすべての場所情報を取得する。場所情報取得部１２０３は、象徴情報に基づいて取得できる場所情報を検索すれば良い。管理情報の構造は問わない。場所情報取得部１２０３は、通常、ＭＰＵやメモリ等から実現され得る。場所情報取得部１２０３の処理手順は、通常、ソフトウェアで実現され、当該ソフトウェアはＲＯＭ等の記録媒体に記録されている。但し、ハードウェア（専用回路）で実現しても良い。
【００３７】
場所情報送信部１２０４は、場所情報取得部１２０３が取得した1以上の場所情報を、クライアント装置１３に送信する。場所情報送信部１２０４は、通常、無線または有線の通信手段で実現されるが、放送手段で実現されても良い。
【００３８】
登録情報受信部１２０５は、クライアント装置１３から登録情報を受信する。登録情報は、通常、象徴情報と場所情報を有する。登録情報は、管理情報と同じ構造でも、異なった構造でも良い。登録情報受信部１２０５は、通常、無線または有線の通信手段で実現されるが、放送を受信する手段で実現されても良い。
【００３９】
蓄積判断部１２０６は、登録情報受信部１２０５が受信した登録情報に基づいて、管理情報の蓄積の可否を判断する。蓄積判断部１２０６は、登録情報受信部１２０５が受信した登録情報が有する象徴情報と場所情報との対応を管理する管理情報が、既に管理情報格納部１２０１に存在しない場合にのみ、蓄積可であと判断することは好適である。また、例えば、蓄積判断部１２０６は、登録情報受信部１２０５が受信した登録情報が有する象徴情報と場所情報とを有する管理情報が、既に管理情報格納部１２０１に存在しない場合にのみ、蓄積可であと判断する。また、蓄積判断部１２０６は、登録情報を送信したクライアント装置１３に基づいて、管理情報の蓄積の可否を判断しても良い。つまり、例えば、蓄積判断部１２０６は、登録を許可するクライアント装置１３の識別子（クライアント装置識別子）を格納しており、当該クライアント装置識別子に対応するクライアント装置１３からのみの登録情報を受け付け、管理情報を蓄積しても良い。また、逆に、例えば、蓄積判断部１２０６は、登録を許可しないクライアント装置１３の識別子（クライアント装置識別子）を格納しており、当該クライアント装置識別子に対応するクライアント装置１３以外からの登録情報を受け付け、管理情報を蓄積しても良い。かかる場合も、蓄積判断部１２０６は、登録情報受信部１２０５が受信した登録情報に基づいて、管理情報の蓄積の可否を判断する、と言える。蓄積判断部１２０６は、通常、ＭＰＵやメモリ等から実現され得る。蓄積判断部１２０６の処理手順は、通常、ソフトウェアで実現され、当該ソフトウェアはＲＯＭ等の記録媒体に記録されている。但し、ハードウェア（専用回路）で実現しても良い。
【００４０】
管理情報蓄積部１２０７は、登録情報受信部１２０５が受信した登録情報が有する象徴情報と場所情報とに基づいて、管理情報を管理情報格納部１２０１に蓄積する。例えば、管理情報蓄積部１２０７は、登録情報受信部１２０５が受信した登録情報が有する象徴情報と場所情報を有する管理情報を構成し、当該管理情報を管理情報格納部１２０１に蓄積する。管理情報蓄積部１２０７は、蓄積判断部１２０６における判断結果が蓄積可である場合のみ、管理情報を管理情報格納部１２０１に蓄積することは好適である。管理情報蓄積部１２０７は、通常、ＭＰＵやメモリ等から実現され得る。管理情報蓄積部１２０７の処理手順は、通常、ソフトウェアで実現され、当該ソフトウェアはＲＯＭ等の記録媒体に記録されている。但し、ハードウェア（専用回路）で実現しても良い。
【００４１】
出力指示受付部１３０１は、情報の出力指示を受け付ける。出力指示とは、例えば、情報がファイルである場合、ファイルオープン等の指示である。出力指示の入力手段は、テンキーやキーボードやマウスやメニュー画面によるもの等、何でも良い。出力指示受付部１３０１は、テンキーやキーボード等の入力手段のデバイスドライバーや、メニュー画面の制御ソフトウェア等で実現され得る。
【００４２】
情報出力部１３０２は、出力指示受付部１３０１が出力指示を受け付けた情報を出力する。また、情報出力部１３０２は、情報受信部１３０９が受信した情報を出力しても良い。ここで、出力とは、ディスプレイへの表示、プリンタへの印字、音出力、外部の装置への送信等を含む概念である。情報出力部１３０２は、ディスプレイやスピーカー等の出力デバイスを含むと考えても含まないと考えても良い。情報出力部１３０２は、情報の形式に応じたアプリケーションにより、前記情報が出力することは好適である。かかる場合、クライアント装置１３は、種々のタイプの情報を出力する種々のアプリケーション（文書ソフト、表計算ソフト、データベースソフト、画像ソフトなど）を格納しており、情報出力部１３０２は、出力する情報のタイプに応じたアプリケーションに情報を渡す処理を行う。情報出力部１３０２は、出力デバイスのドライバーソフトまたは、出力デバイスのドライバーソフトと出力デバイス等で実現され得る。
【００４３】
象徴情報受付部１３０３は、象徴情報を受け付ける。象徴情報受付部１３０３は、出力された情報が有する象徴情報に対する指示を受け付けることは好適である。象徴情報受付部１３０３は、指示デバイスを用いたなぞり操作により象徴情報を受け付けることは好適である。象徴情報受付部１３０３は、なぞり操作が完了した後、直ちに、象徴情報を受け付けることは好適である。マウスの左ボタンを押さえた状態で、マウスポインタの座標位置を動かすことがなぞり操作である場合、「なぞり操作が完了する」とは、例えば、当該マウスの左ボタンの押下を終了することである。なお、象徴情報受付部１３０３は、マウスをダブルクリックすることにより指示された文字列（例えば、単語）を受け付けても良い。指示デバイスとは、マウス、トラックボール、パッドなどである。ここで、なぞり操作する象徴情報は、文字列情報であることは好適である。象徴情報の入力手段は、マウスやテンキーやキーボードやメニュー画面によるもの等、何でも良い。象徴情報受付部１３０３は、マウスやキーボード等の入力手段のデバイスドライバーや、メニュー画面の制御ソフトウェア等で実現され得る。
【００４４】
場所情報送信要求情報送信部１３０４は、象徴情報受付部１３０３が受け付けた象徴情報を有する場所情報送信要求情報をサーバ装置１２に送信する。通常、場所情報送信要求情報送信部１３０４は、象徴情報受付部１３０３が受け付けた象徴情報を有する場所情報送信要求情報を構成し、当該場所情報送信要求情報をサーバ装置１２に送信する。場所情報送信要求情報のデータ構造は問わない。場所情報送信要求情報送信部１３０４は、通常、サーバ装置１２と通信するための情報（サーバ装置１２のＩＰアドレス等）を保持している。場所情報送信要求情報送信部１３０４は、通常、無線または有線の通信手段で実現されるが、放送手段で実現されても良い。
【００４５】
場所情報受信部１３０５は、場所情報送信要求情報送信部１３０４の場所情報送信要求情報の送信に対応して、サーバ装置１２から1以上の場所情報を受信する。場所情報受信部１３０５は、通常、無線または有線の通信手段で実現されるが、放送を受信する手段で実現されても良い。
【００４６】
場所関連情報出力部１３０６は、場所情報受信部１３０５が受信した1以上の場所情報に関連する情報である1以上の場所関連情報を出力する。場所関連情報は、例えば、場所情報受信部１３０５が場所情報とともに、サーバ装置１２から受信した情報であり、場所情報のあだ名の情報である。また、場所関連情報は、例えば、「１」「２」など、場所情報を特定する情報であり、クライアント装置１３が生成した情報である。なお、場所関連情報は、場所情報と同じ情報でも良い。ここで、出力とは、ディスプレイへの表示、外部の装置への送信等を含む概念である。場所関連情報出力部１３０６は、ディスプレイ等の出力デバイスを含むと考えても含まないと考えても良い。場所関連情報出力部１３０６は、出力デバイスのドライバーソフトまたは、出力デバイスのドライバーソフトと出力デバイス等で実現され得る。
【００４７】
場所関連情報指示受付部１３０７は、場所関連情報出力部１３０６が出力した1以上の場所関連情報のうちの、1以上の場所関連情報に対する指示を受け付ける。指示は、例えば、マウスなどの指示デバイスによるクリックである。当該指示の入力手段は、キーボードやマウスやメニュー画面によるもの等、何でも良い。場所関連情報指示受付部１３０７は、キーボード等の入力手段のデバイスドライバーや、メニュー画面の制御ソフトウェア等で実現され得る。
【００４８】
情報送信要求部１３０８は、場所情報受信部１３０５が受信した場所情報が特定する情報格納装置１１に、情報の送信を要求する。情報送信要求部１３０８は、場所関連情報指示受付部１３０７が受け付けた指示に対する場所関連情報に関連する場所情報が特定する情報格納装置１１に、情報の送信を要求しても良い。情報送信要求部１３０８は、通常、無線または有線の通信手段で実現されるが、放送手段で実現されても良い。
【００４９】
情報受信部１３０９は、情報格納装置１１から、要求した情報を受信する。情報は、例えば、ファイルである。また、ファイルのタイプは、通常、問わない。ファイルのタイプとは、ＨＴＭＬファイル、テキストファイル、表計算ソフト用のファイル、データベースファイル、画像ファイル、動画ファイル、音楽ファイルなどである。情報受信部１３０９は、無線の通信手段が好適であるが、放送を受信する手段や有線の通信手段でも実現可能である。無線または有線の通信手段等で実現され得る。通常、無線または有線の通信手段で実現されるが、放送を受信する手段で実現されても良い。
【００５０】
登録構成部１３１０は、象徴情報受付部１３０３が受け付けた象徴情報に基づいて登録情報を構成する。登録情報は、通常、象徴情報と場所情報を有する。登録構成部１３１０は、例えば、場所情報の入力を受け付ける場所情報受付手段を具備している。かかる場合、登録構成部１３１０は、場所情報受付手段が受け付けた場所情報と、場所情報受付手段に基づいて登録情報を構成する。また、登録構成部１３１０は、象徴情報を含むファイルの場所情報（クライアント装置１３の識別子（ＩＰアドレスなど）、当該ファイルのフォルダ名（絶対パス）、当該ファイルのファイル名を含む情報）を取得する場所情報取得手段を具備する。登録構成部１３１０は、通常、ＭＰＵやメモリ等から実現され得る。登録構成部１３１０の処理手順は、通常、ソフトウェアで実現され、当該ソフトウェアはＲＯＭ等の記録媒体に記録されている。但し、ハードウェア（専用回路）で実現しても良い。
登録情報送信部１３１１は、登録構成部１３１０が構成した登録情報を、サーバ装置１２に送信する。登録情報送信部１３１１は、通常、無線または有線の通信手段で実現されるが、放送手段で実現されても良い。
次に、情報処理システムの動作について説明する。
【００５１】
まず、情報格納装置１１の動作について説明する。情報格納装置１１の情報送信部１１０２は、クライアント装置１３からの要求に応じて、情報を情報格納部１１０１から取得し、クライアント装置１３に送信する。クライアント装置１３から場所情報を有する、情報のアクセス要求が送信される。情報送信部１１０２は、場所情報に基づいて、情報格納部１１０１から情報を検索し、クライアント装置１３に送信する。かかる情報の送受信のプロトコルは、ｈｔｔｐ、ｔｅｌｎｅｔなど問わない。
次に、サーバ装置１２の動作について図３のフローチャートを用いて説明する。
【００５２】
（ステップＳ３０１）場所情報送信要求情報受信部１２０２は、クライアント装置１３から場所情報送信要求情報を受信したか否かを判断する。場所情報送信要求情報を受信すればステップＳ３０２に行き、場所情報送信要求情報を受信しなければステップＳ３０６に行く。
（ステップＳ３０２）場所情報取得部１２０３は、ステップＳ３０１で受信した場所情報送信要求情報が有する象徴情報に対応する1以上の場所情報を、管理情報格納部１２０１の管理情報に基づいて取得する。
【００５３】
（ステップＳ３０３）場所情報取得部１２０３は、ステップＳ３０２で1以上の場所情報が取得できたか否か（所定のバッファがＮＵＬＬでないか否か）を判断する。場所情報が取得できればステップＳ３０４に行き、場所情報が取得できなければステップＳ３０５に行く。
（ステップＳ３０４）場所情報送信部１２０４は、ステップＳ３０２で取得した1以上の場所情報、またはステップＳ３０５で作成したエラーメッセージを、クライアント装置１３に送信する。
【００５４】
（ステップＳ３０５）場所情報取得部１２０３は、受信した象徴情報に対応する場所情報が存在しない旨のエラーメッセージを構成する。なお、例えば、エラーメッセージを構成する情報は、予め場所情報取得部１２０３が保持している。ステップＳ３０４に行く。
【００５５】
（ステップＳ３０６）登録情報受信部１２０５は、クライアント装置１３から登録情報を受信したか否かを判断する。登録情報を受信すればステップＳ３０７に行き、登録情報を受信しなければステップＳ３０１に戻る。
【００５６】
（ステップＳ３０７）蓄積判断部１２０６は、ステップＳ３０６で受信した登録情報に基づいて、管理情報の蓄積の可否を判断する。蓄積判断部１２０６は、例えば、ステップＳ３０６で受信した登録情報が有する象徴情報と場所情報とを有する管理情報が、既に管理情報格納部１２０１に存在しない場合にのみ、蓄積可であと判断する。
【００５７】
（ステップＳ３０８）管理情報蓄積部１２０７は、ステップＳ３０７における判断が、蓄積可の判断であるか否かを判断する。蓄積可の判断であればステップＳ３０９に行き、蓄積不可の判断であればステップＳ３０１に戻る。
【００５８】
（ステップＳ３０９）管理情報蓄積部１２０７は、登録情報受信部１２０５が受信した登録情報が有する象徴情報と場所情報に基づいて、管理情報を構成する。ここで、例えば、管理情報蓄積部１２０７は、登録情報受信部１２０５が受信した登録情報が有する場所情報を取得する。
【００５９】
（ステップＳ３１０）管理情報蓄積部１２０７は、ステップＳ３０９で構成した管理情報を管理情報格納部１２０１に蓄積する。ここで、例えば、管理情報蓄積部１２０７は、象徴情報をファイル名に有するファイルをオープンする。そして、管理情報蓄積部１２０７は、オープンしたファイルに、取得した場所情報を追記する。ステップＳ３０１に戻る。
なお、図３のフローチャートにおいて、受信した登録情報の蓄積が不可である場合、エラーメッセージを構成し、クライアント装置に送信しても良い。
なお、図３のフローチャートにおいて、電源オフや処理終了の割り込みにより処理は終了する。
次に、クライアント装置１３の動作について図４のフローチャートを用いて説明する。
【００６０】
（ステップＳ４０１）出力指示受付部１３０１は、情報の出力指示を受け付けたか否かを判断する。情報の出力指示を受け付ければステップＳ４０２に行き、情報の出力指示を受け付けなければステップＳ４０４に行く。
（ステップＳ４０２）情報出力部１３０２は、出力指示受付部１３０１が出力指示を受け付けた情報を、情報格納部１１０１から取得する。
（ステップＳ４０３）情報出力部１３０２は、ステップＳ４０２で取得した情報を出力する。ステップＳ４０１に戻る。
（ステップＳ４０４）象徴情報受付部１３０３は、象徴情報を受け付けたか否かを判断する。象徴情報を受け付ければステップＳ４０５に行き、象徴情報を受け付けなければステップＳ４２３に行く。
【００６１】
（ステップＳ４０５）場所情報送信要求情報送信部１３０４は、ステップＳ４０４で受け付けた象徴情報は、サーバ装置１２に場所情報の送信を要求するための象徴情報であるか否かを判断する。場所情報の送信を要求するための象徴情報であればステップＳ４０６に行き、場所情報の送信を要求するための象徴情報でなければステップＳ４１９に行く。なお、ステップＳ４０５における判断がなく、常に、場所情報送信要求情報送信部１３０４は、サーバ装置１２に場所情報の送信を要求しても良い。そして、かかる場合、例えば、サーバ装置１２から場所情報が送信されなかったときに、情報の登録であると判断し、ステップＳ４１９に行く構成でも良い。また、ユーザが、場所情報の送信の要求であるか、情報の登録であるかを選択するような構成でも良い。かかる場合、ユーザは、例えば、メニューの項目を選択する。
（ステップＳ４０６）場所情報送信要求情報送信部１３０４は、象徴情報受付部１３０３が受け付けた象徴情報を有する場所情報送信要求情報を構成する。
（ステップＳ４０７）場所情報送信要求情報送信部１３０４は、ステップＳ４０６で構成した場所情報送信要求情報をサーバ装置１２に送信する。
【００６２】
（ステップＳ４０８）場所情報受信部１３０５は、ステップＳ４０７における場所情報送信要求情報の送信に対応して、サーバ装置１２から1以上の場所情報を受信したか否かを判断する。場所情報を受信すればステップＳ４０９に行き、場所情報を受信しなければステップＳ４１７に行く。
【００６３】
（ステップＳ４０９）場所関連情報出力部１３０６は、場所情報受信部１３０５が受信した1以上の場所情報に関連する情報である1以上の場所関連情報を取得する。場所関連情報出力部１３０６は、例えば、受信した場所情報に対して、順に、「１」「２」「３」等の符号を生成し、場所関連情報とする。また、場所情報と場所関連情報が対になっている場合、場所関連情報出力部１３０６は、場所情報受信部１３０５が受信した場所情報と対になっている場所関連情報を取得しても良い。
（ステップＳ４１０）場所関連情報出力部１３０６は、ステップＳ４０９で取得した1以上の場所関連情報を出力する。
（ステップＳ４１１）情報送信要求部１３０８は、場所情報受信部１３０５が受信した１以上の場所情報のうち、一の場所情報（通常、１つ目の場所情報）を取得する。
（ステップＳ４１２）情報送信要求部１３０８は、取得した一の場所情報が特定する情報格納装置１１に、情報の送信を要求する。かかる要求には、通常、場所情報の全部または一部が含まれる。
【００６４】
（ステップＳ４１３）情報受信部１３０９は、ステップＳ４１２における要求の送信に対応して、情報格納装置１１から要求した情報を受信したか否かを判断する。要求した情報を受信すればステップＳ４１４に行き、要求した情報を受信しなければステップＳ４１５に行く。
（ステップＳ４１４）情報出力部１３０２は、ステップＳ４１３で受信した情報を出力する。ステップＳ４０１に戻る。
【００６５】
（ステップＳ４１５）情報出力部１３０２は、タイムアウトか否かを判断する。タイムアウトであればステップＳ４１６に行き、タイムアウトでなければステップＳ４１３に戻る。なお、タイムアウトとは、ステップＳ４１２で要求を送信してから、所定の時間以上経過して、情報を受信できなかったことである。
（ステップＳ４１６）情報出力部１３０２は、エラーメッセージを構成し、出力する。ステップＳ４０１に戻る。
【００６６】
（ステップＳ４１７）場所関連情報出力部１３０６は、タイムアウトか否かを判断する。タイムアウトであればステップＳ４１８に行き、タイムアウトでなければステップＳ４０８に戻る。なお、タイムアウトとは、ステップＳ４０７で場所情報送信要求情報を送信してから、所定の時間以上経過して、場所情報を受信できなかったことである。
（ステップＳ４１８）場所関連情報出力部１３０６は、エラーメッセージを構成し、出力する。ステップＳ４０１に戻る。
【００６７】
（ステップＳ４１９）登録構成部１３１０は、情報を登録する処理を行うか否かを判断する。情報を登録する処理を行うのであればステップＳ４２０に行き、情報を登録する処理を行わないのであればステップＳ４０１に戻る。
【００６８】
（ステップＳ４２０）登録構成部１３１０は、登録する情報の場所情報を取得する。登録構成部１３１０は、ユーザから入力された場所情報を取得しても良いし、オープンしているファイルの場所情報を取得しても良い。
（ステップＳ４２１）登録構成部１３１０は、ステップＳ４０４で受け付けた象徴情報と、ステップＳ４２０で取得した場所情報に基づいて、登録情報を構成する。
【００６９】
（ステップＳ４２２）登録情報送信部１３１１は、ステップＳ４２１で構成した登録情報を、サーバ装置１２に送信する。なお、例えば、登録情報送信部１３１１は、サーバ装置１２のＩＰアドレス等を予め保持している。ステップＳ４０１に戻る。
【００７０】
（ステップＳ４２３）場所関連情報指示受付部１３０７は、場所関連情報出力部１３０６が出力した1以上の場所関連情報のうちの、1以上の場所関連情報に対する指示を受け付けたか否かを判断する。場所関連情報に対する指示を受け付ければステップＳ４２４に行き、場所関連情報に対する指示を受け付けなければステップＳ４０１に戻る。
（ステップＳ４２４）情報送信要求部１３０８は、ステップＳ４２３で指示された場所関連情報に対応する場所情報を取得する。ステップＳ４１２に行く。
なお、図４のフローチャートにおいて、電源オフや処理終了の割り込みにより処理は終了する。
また、図４のフローチャートにおいて、クライアント装置１３は、場所情報の出力と、情報の出力の両方を行ったが、どちらか一方の出力を行うだけでも良い。
【００７１】
また、図４のフローチャートにおいて、クライアント装置１３は、象徴情報に対応する場所情報を受信しなかった場合に、情報の登録のためのメニューを表示する等の情報の登録処理（ステップＳ４１９以降の処理）に移行しても良い。
以下、本実施の形態における情報処理システムの具体的な動作について説明する。情報処理システムの概念図は図１である。
【００７２】
図５は、サーバ装置１２の管理情報格納部１２０１に格納されている管理情報の例である。本管理情報の構造は、ファイルである。本管理情報において、ファイル名の一部に象徴情報を含む。また、本管理情報において、ファイルの中に、１以上の場所情報が記載されている。場所情報は、ここではＵＲＬである。
【００７３】
図６は、クライアント装置１３の情報格納部１１０１に格納されている１以上の情報である。情報の構造は、ここでは、ファイルである。ここで、クライアント装置１３のユーザは、情報の出力指示を入力する、とする。次に、クライアント装置１３の出力指示受付部１３０１は、情報の出力指示を受け付け、当該情報をファイルオープンし、ディスプレイに表示する。図７は、情報が表示された画面を示す図である。
【００７４】
次に、ユーザは、本ファイルの中の「新聞」という象徴情報をマウスでなぞり操作し、マウスボタンを放つ、とする（図７参照）。すると、象徴情報受付部１３０３は、なぞり操作が完了した後、直ちに、象徴情報「新聞」を受け付ける。
【００７５】
次に、クライアント装置１３の場所情報送信要求情報送信部１３０４は、「場所情報要求」というコマンドと、受け付けた象徴情報「新聞」を有する場所情報送信要求情報を構成する。場所情報送信要求情報の例を図８に示す。
【００７６】
次に、場所情報送信要求情報送信部１３０４は、図８の場所情報送信要求情報を、サーバ装置１２に送信する。なお、場所情報送信要求情報送信部１３０４は、サーバ装置１２と通信するためのサーバ装置１２のＩＰアドレス等は、予め保持している。
次に、サーバ装置１２の場所情報送信要求情報受信部１２０２は、図８の場所情報送信要求情報を受信する。
【００７７】
次に、場所情報取得部１２０３は、図８の場所情報送信要求情報が有する象徴情報に対応する1以上の場所情報を、図５の管理情報格納部１２０１から取得しようとする。つまり、場所情報取得部１２０３は、図８の場所情報送信要求情報のコマンド「場所情報要求」を認識し、場所情報を取得する動作を開始する。つまり、場所情報取得部１２０３は、図８の場所情報送信要求情報が有する象徴情報「新聞」を取得する。次に、場所情報取得部１２０３は、象徴情報「新聞」をファイル名に有するファイルを管理情報格納部１２０１から検索する。次に、場所情報取得部１２０３は、当該ファイルをオープンし、中に記載されている場所情報を全て取得する。かかる全ての場所情報を、図９に示す。
次に、場所情報送信部１２０４は、図９の場所情報を、クライアント装置１３に送信する。
次に、クライアント装置１３の場所情報受信部１３０５は、サーバ装置１２から図９の場所情報を受信する。
【００７８】
次に、場所関連情報出力部１３０６は、場所情報受信部１３０５が受信した1以上の場所情報に関連する情報である1以上の場所関連情報（「１」「２」「３」「４」・・・）を生成する。ここでは、場所関連情報出力部１３０６は、受信した場所情報に応じた数の情報を生成する。
【００７９】
次に、場所関連情報出力部１３０６は、場所関連情報（「１」「２」「３」「４」・・・）を出力する。なお、図１０が、場所関連情報等の出力例である。なお、クライアント装置１３では、各場所関連情報（「１」「２」「３」「４」・・・）に対応して、場所情報がリンク付けられている。
【００８０】
次に、情報送信要求部１３０８は、場所情報受信部１３０５が受信した１以上の場所情報のうち、一の場所情報「ｈｔｔｐ：／／ｗｗｗ．ＮＰ１．ｃｏｍ」を取得する。次に、情報送信要求部１３０８は、場所情報「ｈｔｔｐ：／／ｗｗｗ．ＮＰ１．ｃｏｍ」に基づいて、対応する情報格納装置１１に、情報の送信を要求する。
【００８１】
次に、場所情報「ｈｔｔｐ：／／ｗｗｗ．ＮＰ１．ｃｏｍ」で識別され得る情報格納装置１１は、場所情報「ｈｔｔｐ：／／ｗｗｗ．ＮＰ１．ｃｏｍ」で識別される情報を、情報格納部１１０１から取得し、クライアント装置１３に送信する。
次に、クライアント装置１３の情報受信部１３０９は、「ｈｔｔｐ：／／ｗｗｗ．ＮＰ１．ｃｏｍ」で識別される情報を受信する。
そして、情報出力部１３０２は、受信した情報を出力する。かかる出力の例を、図１０の右側のウィンドウに示す。
【００８２】
次に、クライアント装置１３のユーザは、図１０の画面表示例の場所関連情報「３」を指示する、とする。かかる指示は、場所関連情報指示である。次に、場所関連情報指示受付部１３０７は、「３」の場所関連情報指示を受け付ける。
【００８３】
情報送信要求部１３０８は、「３」の場所関連情報指示に対応する場所情報「ｈｔｔｐ：／／１２１．８５．１．５８／ＩＭＧ．ｇｉｆ」を取得する。次に、情報送信要求部１３０８は、場所情報「ｈｔｔｐ：／／１２１．８５．１．５８／ＩＭＧ．ｇｉｆ」が特定する情報格納装置１１に、「ＩＭＧ．ｇｉｆ」という画像情報の送信を要求する。
次に、場所情報「ｈｔｔｐ：／／１２１．８５．１．５８／ＩＭＧ．ｇｉｆ」が特定する情報格納装置１１は、「ＩＭＧ．ｇｉｆ」という画像情報を取得し、クライアント装置１３に送信する。
【００８４】
次に、情報受信部１３０９は、情報格納装置１１から、情報「ＩＭＧ．ｇｉｆ」を受信する。そして、情報出力部１３０２は、情報「ＩＭＧ．ｇｉｆ」のｇｉｆデータを表示するアプリケーションに渡す。そして、情報「ＩＭＧ．ｇｉｆ」は、画面上に表示される。かかる表示例を、図１１に示す。
次に、クライアント装置１３のユーザは、図７の画面のテキストファイルの「サッカー」の文字列をなぞり操作する、とする。
【００８５】
次に、上記と同様に、象徴情報「サッカー」に基づいて、クライアント装置１３は、サーバ装置１２から場所情報を得ようとする。しかし、ここで、サーバ装置１２は、象徴情報「サッカー」に対応する場所情報を保持していない、とする。
そして、サーバ装置１２は、象徴情報「サッカー」に対応する場所情報を保持していない旨のエラーコード（メッセージでも良い）を、クライアント装置１３に送信する、とする。
次に、クライアント装置１３は、象徴情報「サッカー」に対応する場所情報を保持していない旨のエラーコードを受信する。
【００８６】
そして、クライアント装置１３の登録構成部１３１０は、象徴情報「サッカー」に対応する情報の登録を促すメニューを出力する（図１２参照）。登録構成部１３１０は、メニューを表示するためのメニューの情報を予め保持している、とする。なお、図１２において、メニューを構成する項目は、以下の４つある。「ＵＲＬアドレスまたはファイルを割り付ける」、「新しいページを作る」「イメージデータを割り付ける」「登録しない（キャンセル）」の４つである。
「ＵＲＬアドレスまたはファイルを割り付ける」が選択された場合、象徴情報「サッカー」に対応する情報（ファイル）のＵＲＬまたはファイル自体を登録する画面が表示される。かかる画面を図１３（ａ）に示す。
「新しいページを作る」が選択された場合、象徴情報「サッカー」対応する情報（ファイル）を作成するためのエディタが起動される。かかる画面を図１３（ｂ）に示す。
「イメージデータを割り付ける」「が選択された場合、象徴情報「サッカー」対応するイメージデータを登録する画面が表示される。かかる画面を図１３（ｃ）に示す。
「登録しない（キャンセル）」が選択された場合、図１２のメニューは消去される。
【００８７】
なお、図１３（ａ）において、例えば、「サッカー」に対応する場所情報「ｈｔｔｐ：／／ｗｗｗ．ｘｘｘ．・・・」が入力されている。かかる場合、登録構成部１３１０は、図１４（ａ）に示す登録情報を構成する。そして、登録情報送信部１３１１は、図１４（ａ）の登録情報を、サーバ装置１２に送信する。
次に、サーバ装置１２の登録情報受信部１２０５は、図１４（ａ）の登録情報を受信する。
【００８８】
次に、蓄積判断部１２０６は、登録情報受信部１２０５が受信した登録情報に基づいて、管理情報の蓄積の可否を判断する。ここでは、象徴情報「サッカー」をファイル名に有する管理情報が存在しないので、登録可である、と判断する、とする。そして、管理情報蓄積部１２０７は、「サッカー」をファイル名に有するファイルを生成し、場所情報「ｈｔｔｐ：／／ｗｗｗ．ｘｘｘ．・・・」を当該ファイルに記録する。かかる状況を、図１５（ａ）に示す。
【００８９】
次に、図１３（ｂ）において、クライアント装置１３のユーザは、エディタで「サッカー」に関する情報を入力し、エディタを終了する、とする。次に、登録構成部１３１０は、エディタで作成したファイルの場所情報（ＵＲＬ）を取得する。そして、登録構成部１３１０は、当該ファイルの場所情報（ＵＲＬ）と、象徴情報「サッカー」に基づいて、図１４（ｂ）の登録情報を構成する。なお、図１３（ｂ）において、象徴情報「サッカー」が情報を構成する最初の文字列として、自動的に記録されている。
そして、登録情報送信部１３１１は、図１４（ｂ）の登録情報を、サーバ装置１２に送信する。
次に、サーバ装置１２の登録情報受信部１２０５は、図１４（ｂ）の登録情報を受信する。
【００９０】
次に、蓄積判断部１２０６は、登録情報受信部１２０５が受信した登録情報に基づいて、管理情報の蓄積の可否を判断する。ここでは、「サッカー」をファイル名に含むファイルの中に場所情報「ｈｔｔｐ：／／１８８．６２．０．２１／サッカー．ｔｘｔ」は存在しないので、登録可である、と判断する。そして、管理情報蓄積部１２０７は、「サッカー」をファイル名に有するファイル「サッカー．ｔｘｔ」をオープンし、場所情報「ｈｔｔｐ：／／１８８．６２．０．２１／サッカー．ｔｘｔ」を当該ファイルに追記する。
【００９１】
次に、図１３（ｃ）において、クライアント装置１３のユーザは、イメージファイル「サッカー．ｊｐｅｇ」を図１３（ｃ）の下のフィールドにドロップする、とする。すると、登録構成部１３１０は、図１４（ｃ）に示す登録情報を構成する。なお、イメージファイル「サッカー．ｊｐｅｇ」の場所情報は、「ｈｔｔｐ：／／１８８．６２．０．２１／サッカー．ｊｐｅｇ」である、とする。
次に、登録情報送信部１３１１は、図１４（ｃ）の登録情報を、サーバ装置１２に送信する。
【００９２】
次に、サーバ装置１２の登録情報受信部１２０５は、図１４（ｃ）の登録情報を受信する。また、蓄積判断部１２０６は、登録情報受信部１２０５が受信した登録情報に基づいて、管理情報の蓄積可であると判断する。そして、管理情報蓄積部１２０７は、「サッカー」をファイル名に有するファイル「サッカー．ｔｘｔ」をオープンし、場所情報「ｈｔｔｐ：／／１８８．６２．０．２１／サッカー．ｊｐｅｇ」を当該ファイルに追記する。かかる状況を、図１５（ｂ）に示す。
【００９３】
次に、クライアント装置１３のユーザが、例えば、図７の画面の文字列「サッカー」をなぞり操作し、マウスボタンを放つと、ただちに、サーバ装置１２に象徴情報「サッカー」に対応する場所情報の送信を要求する。次に、サーバ装置１２は、象徴情報「サッカー」に対応する３つの場所情報をクライアント装置１３に送信する。
次に、クライアント装置１３は、３つの場所情報を受信し、上記と同様の動作を行い、図１０と同様の画面を出力する。
以上、本実施の形態によれば、情報を指示した場合に、当該情報に対応する場所情報を簡単に取得できる。
【００９４】
また、本実施の形態によれば、クライアント装置は、受け付けた象徴情報に対応する１以上の場所情報を受信し、当該場所情報に関連する場所関連情報を出力し、かつ、１以上の場所情報のうちの一の場所情報で特定できる情報を受信し、出力した。したがって、象徴情報に関連する情報と数と、一の情報が非常に容易に取得できる。
また、本実施の形態によれば、指示デバイスを用いたなぞり操作により象徴情報を受け付け、当該象徴情報に対応する情報を取得できた。したがって、非常に容易に情報を取得できる。
また、本実施の形態によれば、クライアント装置は、なぞり操作が完了した後、直ちに、象徴情報を受け付け、当該象徴情報に対応する情報を取得できた。したがって、極めて容易に情報を取得できる。
【００９５】
なお、上記操作作法は、以下のことを示す。つまり、本クライアント装置は、指示デバイスによる象徴情報のなぞり操作を受け付け、なぞり操作が完了した後、直ちに、象徴情報に基づいて処理を行う情報処理装置である。この処理とは、外部の装置（上記では、サーバ装置）に対して、象徴情報をキーとする検索処理である。また、処理は、象徴情報をユーザが好み情報としてサーバ装置やクライアント装置等に登録する処理など他の処理でも良い。
【００９６】
また、本実施の形態によれば、サーバ装置は、象徴情報をファイル名に有し、当該ファイルの中に場所情報を格納していた。かかるデータ構造により、象徴情報に対応する場所情報が存在するか否かが、高速に判断できる。また、本データ構造を有するシステムが容易に構築できる。
【００９７】
さらに、本実施の形態において、クライアント装置は、象徴情報に対応する場所情報を受信しなかった場合に、情報の登録のためのメニューを表示する等の情報の登録処理に移行した。かかる処理により、象徴情報を用いた情報検索と、情報の登録のための入力インターフェイスが統一でき、非常に使いやすいユーザインターフェイスを提供できる。
【００９８】
なお、本実施の形態において、場所情報が示す情報のタイプは、何でも良い。つまり、情報は、テキストデータ、静止画、動画、音楽、音声、実行モジュール等である。クライアント装置の情報出力部は、情報がテキストデータ、静止画、動画、音楽、音声等の場合は、当該情報を出力する、または当該情報を出力するアプリケーション（ソフトウェア）に情報を渡す。情報出力部が情報を渡す場合でも、結果として、情報は出力される。また、クライアント装置の情報出力部は、情報が実行モジュールである場合、当該情報を実行する。
【００９９】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置を実現するソフトウェアは、以下のようなプログラムである。つまり、このプログラムは、コンピュータに、前記1以上の情報格納装置が格納している情報に対応する情報である象徴情報と、前記情報が格納されている場所を特定する情報である場所情報の対応を管理する情報である管理情報を1以上格納しており、象徴情報を有する情報であり、場所情報の送信を要求する情報である場所情報送信要求情報を、前記クライアント装置から受信する場所情報送信要求情報受信ステップと、前記場所情報送信要求情報が有する象徴情報に対応する1以上の場所情報を、前記管理情報に基づいて取得する場所情報取得ステップと、前記場所情報取得ステップで取得した1以上の場所情報を、前記クライアント装置に送信する場所情報送信ステップを実行させるためのプログラム、である。
【０１００】
また、上記プログラムは、コンピュータに、クライアント装置から登録情報を受信する登録情報受信ステップと、前記登録情報受信ステップで受信した登録情報が有する象徴情報と場所情報とに基づいて、管理情報を蓄積する管理情報蓄積ステップと、をさらに実行させるためのプログラムでも良い。
【０１０１】
また、上記プログラムは、コンピュータに、登録情報受信ステップで受信した登録情報に基づいて、管理情報の蓄積の可否を判断する蓄積判断ステップをさらに実行させ、前記管理情報蓄積ステップは、前記蓄積判断ステップにおける判断結果が蓄積可である場合のみ、前記管理情報を蓄積することは好適である。
【０１０２】
また、本実施の形態におけるクライアント装置を実現するソフトウェアは、以下のようなプログラムである。つまり、このプログラムは、コンピュータに、象徴情報を受け付ける象徴情報受付ステップと、前記象徴情報受付ステップで受け付けた象徴情報を有する場所情報送信要求情報をサーバ装置に送信する場所情報送信要求情報送信ステップと、前記サーバ装置から前記1以上の場所情報を受信する場所情報受信ステップと、前記場所情報受信ステップで受信した1以上の場所情報に関連する情報である1以上の場所関連情報を出力する場所関連情報出力ステップを実行させるためのプログラム、である。
【０１０３】
クライアント装置を実現するソフトウェアは、コンピュータに、象徴情報を受け付ける象徴情報受付ステップと、前記象徴情報受付ステップで受け付けた象徴情報を有する場所情報送信要求情報をサーバ装置に送信する場所情報送信要求情報送信ステップと、前記サーバ装置から前記1以上の場所情報を受信する場所情報受信ステップと、前記場所情報受信ステップで受信した場所情報が特定する情報格納装置に、情報の送信を要求する情報送信要求ステップと、前記情報格納装置から、前記要求した情報を受信する情報受信ステップと、前記情報受信ステップで受信した情報を出力する情報出力ステップを実行させるためのプログラム、である。
【０１０４】
また、上記プログラムは、コンピュータに、前記場所情報受信ステップで受信した1以上の場所情報に関連する情報である1以上の場所関連情報を出力する場所関連情報出力ステップと、前記場所関連情報出力ステップで出力した1以上の場所関連情報のうちの、1以上の場所関連情報に対する指示を受け付ける場所関連情報指示受付ステップと、をさらに実行させ、前記情報送信要求ステップは、前記場所関連情報指示受付ステップで受け付けた指示に対する場所関連情報に関連する場所情報が特定する情報格納装置に、情報の送信を要求するプログラム、でも良い。
【０１０５】
また、上記プログラムにおける前記情報出力ステップは、前記情報の形式に応じたアプリケーションにより、前記情報を出力することは好適である。かかる処理により、情報の形式（テキスト、ＨＴＭＬ、ＸＭＬ、画像、音声、動画など）に関わらず、同様のインターフェイスで情報取得ができ、または／および登録ができる。
【０１０６】
また、上記プログラムは、コンピュータに、格納している情報の出力指示を受け付ける出力指示受付ステップと、をさらに実行させ、前記情報出力ステップにおいて、前記出力指示を受け付けた情報をも出力し、前記象徴情報受付ステップにおいて、前記出力された情報が有する象徴情報に対する指示をも受け付け、前記象徴情報受付ステップで受け付けた象徴情報に基づいて登録情報を構成する登録構成ステップと、前記登録構成ステップで構成した登録情報を、前記サーバ装置に送信する登録情報送信ステップと、をさらに実行させるプログラムでも良い。
（実施の形態２）
【０１０７】
本実施の形態における情報処理システムは、1以上の情報格納装置と、２以上のサーバ装置と、1以上のクライアント装置と、を具備する情報処理システムであり、クライアント装置は1以上の情報格納装置から情報を取得する。サーバ装置は、クライアント装置のユーザが欲する情報の格納場所である場所情報を保持している。また、実施の形態１と比較して、クライアント装置は、２以上のサーバ装置に、場所情報の送信の要求を行う点が異なる。また、本実施の形態において、クライアント装置は、象徴情報に基づいて、場所情報を検索するサーバ装置を選択しても良い。
図１６は、本実施の形態における情報処理システムのブロック図である。
情報処理システムは、1以上の情報格納装置１１と、２以上のサーバ装置１２と、1以上のクライアント装置１６３と、を具備する。
【０１０８】
クライアント装置１６３は、出力指示受付部１３０１、情報出力部１３０２、象徴情報受付部１３０３、場所情報送信要求情報送信部１６３０４、場所情報受信部１６３０５、場所関連情報出力部１３０６、場所関連情報指示受付部１３０７、情報送信要求部１３０８、情報受信部１３０９、登録構成部１３１０、登録情報送信部１３１１、情報格納部１１０１、検索サーバ装置決定部１６３０６、登録サーバ装置決定部１６３０７を具備する。
【０１０９】
場所情報送信要求情報送信部１６３０４は、象徴情報受付部１３０３が受け付けた象徴情報を有する場所情報送信要求情報を２以上のサーバ装置１２に送信する。場所情報送信要求情報送信部１６３０４は、通常、象徴情報から場所情報送信要求情報を構成し、当該場所情報送信要求情報を送信する。場所情報送信要求情報送信部１６３０６は、通常、無線または有線の通信手段で実現されるが、放送手段で実現されても良い。
【０１１０】
場所情報受信部１６３０５は、２以上のサーバ装置１２のうち、1以上のサーバ装置１２から1以上の場所情報を受信する。場所情報受信部１６３０５が受信する場所情報は、場所情報送信要求情報を送信したすべてのサーバ装置１２から受信するとは限らない。場所情報受信部１６３０５は、通常、無線または有線の通信手段で実現されるが、放送を受信する手段で実現されても良い。
【０１１１】
検索サーバ装置決定部１６３０６は、象徴情報受付部１３０３が受け付けた象徴情報に基づいて、場所情報送信要求情報を送信する１以上のサーバ装置１２を決定する。検索サーバ装置決定部１６３０６は、象徴情報のデータタイプにより場所情報送信要求情報を送信するサーバ装置１２を決定しても良いし、象徴情報の言語（日本語、英語など）により場所情報送信要求情報を送信するサーバ装置１２を決定しても良いし、象徴情報のデータサイズ等より場所情報送信要求情報を送信するサーバ装置１２を決定しても良い。その他、検索サーバ装置決定部１６３０６の決定方法は問わない。検索サーバ装置決定部１６３０６は、通常、ＭＰＵやメモリ等から実現され得る。検索サーバ装置決定部１６３０６の処理手順は、通常、ソフトウェアで実現され、当該ソフトウェアはＲＯＭ等の記録媒体に記録されている。但し、ハードウェア（専用回路）で実現しても良い。
【０１１２】
登録サーバ装置決定部１６３０７は、登録する場所情報に対応する情報に基づいて、登録情報を送信する１以上のサーバ装置を決定する。登録サーバ装置決定部１６３０７は、例えば、情報のタイプ（テキスト、画像、動画など）に基づいて、登録情報を送信する１以上のサーバ装置を決定しても良い。また、登録サーバ装置決定部１６３０７は、象徴情報受付部１３０３が受け付けた象徴情報に基づいて、登録情報を送信する１以上のサーバ装置１２を決定しても良い。登録サーバ装置決定部１６３０７は、象徴情報のデータタイプにより登録情報を送信するサーバ装置１２を決定しても良いし、象徴情報の言語（日本語、英語など）により登録情報を送信するサーバ装置１２を決定しても良いし、象徴情報のデータサイズにより登録情報を送信するサーバ装置１２を決定しても良い。その他、登録サーバ装置決定部１６３０７の決定方法は問わない。登録サーバ装置決定部１６３０７は、通常、ＭＰＵやメモリ等から実現され得る。登録サーバ装置決定部の処理手順は、通常、ソフトウェアで実現され、当該ソフトウェアはＲＯＭ等の記録媒体に記録されている。但し、ハードウェア（専用回路）で実現しても良い。
次に、情報処理システムの動作について説明する。情報格納装置１１、サーバ装置１２の動作については説明済みである。
図１７のフローチャートを用いてクライアント装置１６３の動作について説明する。図１７のフローチャートにおいて、図４のフローチャートと異なるステップについてのみ説明する。
【０１１３】
（ステップＳ１７０１）検索サーバ装置決定部１６３０６は、場所情報に対応する情報に基づいて、場所情報送信要求情報を送信する１以上のサーバ装置１２を決定する。検索サーバ装置決定部１６３０６は、例えば、情報の言語（日本語、英語など）を取得し、言語毎に管理されたサーバ装置１２の識別子を取得する。
【０１１４】
（ステップＳ１７０２）場所情報送信要求情報送信部１６３０４は、ステップＳ１７０１で決定した１以上のサーバ装置１２に、場所情報送信要求情報を送信する。場所情報送信要求情報は、ステップＳ４０６で構成されている。
【０１１５】
（ステップＳ１７０３）場所情報受信部１６３０５は、場所情報送信要求情報を送信したすべてのサーバ装置１２から場所情報を受信したか否かを判断する。すべてのサーバ装置１２から場所情報を受信すればステップＳ４０９に行き、すべてのサーバ装置１２から場所情報を受信していなければステップＳ１７０４に行く。
【０１１６】
（ステップＳ１７０４）場所関連情報出力部１３０６は、タイムアウトか否かを判断する。ここで、タイムアウトとは、場所情報送信要求情報を送信してから所定の時間が経過したことである。タイムアウトであればステップＳ１７０５に行き、タイムアウトでなければステップＳ１７０３に戻る。
【０１１７】
（ステップＳ１７０５）登録構成部１３１０は、場所情報受信部１６３０５が受信した場所情報が存在するか否かを判断する。場所情報が存在すればステップＳ４０９に行き、場所情報が存在しなければステップＳ１７０６に行く。
【０１１８】
（ステップＳ１７０６）登録構成部１３１０は、登録する情報の場所情報を取得する。なお、場所情報は、ユーザからの入力でも良いし、現在、オープンされているファイルの場所を示す場所情報等でも良い。なお、ステップＳ１７０５からステップＳ１７０６の間に、例えば、図１２のようなメニューを表示して、ユーザに情報の登録を促すことは好適である。図１２のようなメニューを表示した後の動作については、実施の形態１において説明済みである。
（ステップＳ１７０７）登録構成部１３１０は、ステップＳ１７０６で取得した場所情報と、ステップＳ４０４で受け付けた象徴情報に基づいて、登録情報を構成する。
【０１１９】
（ステップＳ１７０８）登録サーバ装置決定部１６３０７は、場所情報に対応する情報に基づいて、登録情報を送信する１以上のサーバ装置１２を決定する。登録サーバ装置決定部１６３０７は、例えば、登録する場所情報に対応する情報のデータタイプ（テキスト、静止画、動画、音声など）を取得し、データタイプ毎に管理されたサーバ装置１２の識別子を取得する。
（ステップＳ１７０９）登録情報送信部１３１１は、ステップＳ１７０８で決定したサーバ装置１２に、ステップＳ１７０７で構成した登録情報を送信する。ステップＳ４０１に戻る。
【０１２０】
なお、図１７のフローチャートにおいて、場所情報送信要求情報送信部１６３０４は、検索サーバ装置決定部１６３０６が決定したサーバ装置１２に、場所情報送信要求情報を送信したが、すべてのサーバ装置１２に、場所情報送信要求情報を送信しても良い。かかる場合、検索サーバ装置決定部１６３０６は不要である。
【０１２１】
また、図１７のフローチャートにおいて、登録情報送信部１３１１は、登録サーバ装置決定部１６３０７が決定したサーバ装置１２に、登録情報を送信したが、すべてのサーバ装置１２に、登録情報を送信しても良い。かかる場合、登録サーバ装置決定部１６３０７は不要である。
さらに、図１７のフローチャートにおいて、電源オフや処理終了の割り込みにより処理は終了する。
以下、本実施の形態における情報処理システムの具体的な動作について説明する。
図５は、サーバ装置１２の管理情報格納部１２０１に格納されている管理情報の例である。
図６は、クライアント装置１６３の情報格納部１１０１に格納されている１以上の情報である。
【０１２２】
図１８は、クライアント装置１６３が保持しているサーバ情報管理表である。サーバ情報管理表は、「言語」「サーバ装置」を有するレコードを１以上保持している。「言語」は、象徴情報の言語であり、「サーバ装置」はサーバ装置１２の識別子である。サーバ情報管理表において、検索サーバ装置決定部１６３０６、および登録サーバ装置決定部１６３０７は、象徴情報の言語と合致する「言語」に対応する「サーバ装置」の識別子を取得し、サーバ装置１２を決定する。
【０１２３】
ここで、クライアント装置１６３のユーザは、情報の出力指示を入力する、とする。次に、クライアント装置１６３の出力指示受付部１３０１は、情報の出力指示を受け付け、当該情報をファイルオープンし、ディスプレイに表示する。図７は、情報が表示された画面を示す図である。
【０１２４】
そして、次に、ユーザは、本ファイルの中の「新聞」という象徴情報をマウスでなぞり操作し、マウスボタンを放つ、とする（図７参照）。すると、象徴情報受付部１３０３は、なぞり操作が完了した後、直ちに、象徴情報「新聞」を受け付ける。
【０１２５】
次に、クライアント装置１６３の場所情報送信要求情報送信部１３０４は、「場所情報要求」というコマンドと、受け付けた象徴情報「新聞」を有する場所情報送信要求情報を構成する。場所情報送信要求情報の例を図８に示す。
次に、検索サーバ装置決定部１６３０６は、象徴情報「新聞」の言語を日本語であると判断する。象徴情報「新聞」のコードを取得し、言語を決定する技術は公知技術であるので、詳細な説明は省略する。
次に、検索サーバ装置決定部１６３０６は、言語「日本語」と対になるサーバ装置識別子「１８６．２１０．０．５７」「１８６．１０８．１．５５」を、図１８のサーバ情報管理表から取得する。
【０１２６】
そして、次に、場所情報送信要求情報送信部１３０４は、図８のような構造を有する場所情報送信要求情報を、サーバ装置識別子「１８６．２１０．０．５７」「１８６．１０８．１．５５」で識別される２つのサーバ装置１２に送信する。
【０１２７】
次に、２つのサーバ装置１２の場所情報送信要求情報受信部１２０２は、図８のような構造を有する場所情報送信要求情報を受信する。次に、２つのサーバ装置１２は、象徴情報「新聞」に対応する１以上の場所情報を取得し、当該１以上の場所情報をクライアント装置１６３に送信する。次に、クライアント装置１６３は、２つのサーバ装置１２から１以上の場所情報を受信し、場所関連情報を表示し、一の場所情報に対応する情報を情報格納装置１１から取得し、出力する。かかるクライアント装置１６３の一連の動作は、実施の形態１のクライアント装置１３の一連の動作と同様である。
そして、クライアント装置１６３は、図１０に示すような場所関連情報と、一の情報を出力する。つまり、ここでは、２つのサーバ装置１２が合わせて、４つの場所情報を取得したこととなる。
クライアント装置１６３のユーザが、図１０における場所関連情報を指示することにより、対応する情報格納装置１１から情報を取得し、出力する処理は、実施の形態１と同様である。
次に、クライアント装置１６３のユーザは、図７の画面のテキストファイルの「サッカー」の文字列をなぞり操作する、とする。
【０１２８】
次に、上記と同様に、象徴情報「サッカー」に基づいて、クライアント装置１６３は、サーバ装置識別子「１８６．２１０．０．５７」「１８６．１０８．１．５５」で識別される２つのサーバ装置１２から場所情報を得ようとする。しかし、ここで、２つのサーバ装置１２は、ともに、象徴情報「サッカー」に対応する場所情報を保持していない、とする。
【０１２９】
そして、クライアント装置１６３の登録構成部１３１０は、象徴情報「サッカー」に対応する情報の登録を促すメニューを出力する（図１２参照）。つまり、ここでは、クライアント装置１６３は、象徴情報に対応する場所情報を受信しなかった場合に、情報の登録のためのメニューを表示する等の情報の登録処理に移行する。かかる処理により、象徴情報を用いた情報検索と、情報の登録のための入力インターフェイスが統一でき、非常に使いやすいユーザインターフェイスを提供できる。
そして、ユーザは、図１３（ａ）の画面を用いて、例えば、「サッカー」に対応する場所情報「ｈｔｔｐ：／／ｗｗｗ．ｘｘｘ．・・・」を入力する、とする。
【０１３０】
次に、登録構成部１３１０は、図１４（ａ）に示す登録情報を構成する。そして、登録情報送信部１３１１は、図１４（ａ）の登録情報を、２つのサーバ装置１２（サーバ装置識別子「１８６．２１０．０．５７」「１８６．１０８．１．５５」）に送信する。
次に、２つのサーバ装置１２の登録情報受信部１２０５は、図１４（ａ）の登録情報を受信する。
【０１３１】
次に、２つのサーバ装置１２の蓄積判断部１２０６は、登録情報受信部１２０５が受信した登録情報に基づいて、管理情報の蓄積の可否を判断する。ここでは、象徴情報「サッカー」をファイル名に有する管理情報が存在しないので、登録可である、と判断する、とする。そして、２つのサーバ装置１２の管理情報蓄積部１２０７は、「サッカー」をファイル名に有するファイルを生成し、場所情報「ｈｔｔｐ：／／ｗｗｗ．ｘｘｘ．・・・」を当該ファイルに記録する。かかる状況を、図１５（ａ）に示す。
なお、上記の管理情報の登録処理において、２つのサーバ装置１２に同一の管理情報が登録されたが、一のサーバ装置１２にのみ登録されるようにしても良い、ことは言うまでもない。
また、登録サーバ装置決定部１６３０７は、例えば、場所情報に対応する情報のデータタイプ（例えば、イメージデータかテキストデータか）によって、決定するサーバ装置１２を変えても良い。
以上、本実施の形態によれば、情報を指示した場合に、当該情報に対応する場所情報を簡単に取得できる。また、本実施の形態によれば、サーバ装置が２以上存在するので、サーバ装置の負荷が分散される。
【０１３２】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるクライアント装置を実現するソフトウェアは、以下のようなプログラムである。つまり、このプログラムは、コンピュータに、象徴情報を受け付ける象徴情報受付ステップと、前記象徴情報受付ステップで受け付けた象徴情報を有する場所情報送信要求情報を２以上のサーバ装置に送信する場所情報送信要求情報送信ステップと、前記２以上のサーバ装置のうち、1以上のサーバ装置から、管理情報に基づいて取得された1以上の場所情報を受信する場所情報受信ステップと、前記場所情報受信ステップで受信した1以上の場所情報に関連する情報である1以上の場所関連情報を出力する場所関連情報出力ステップを実行させるためのプログラム、である。
【０１３３】
また、クライアント装置を実現するソフトウェアは、コンピュータに、象徴情報を受け付ける象徴情報受付ステップと、前記象徴情報受付ステップで受け付けた象徴情報を有する場所情報送信要求情報を２以上のサーバ装置に送信する場所情報送信要求情報送信ステップと、前記２以上のサーバ装置のうち、1以上のサーバ装置から、管理情報に基づいて取得された1以上の場所情報を受信する場所情報受信ステップと、前記場所情報受信ステップで受信した場所情報が特定する情報格納装置に、情報の送信を要求する情報送信要求ステップと、前記情報格納装置から、前記要求した情報を受信する情報受信ステップと、
前記情報受信ステップで受信した情報を出力する情報出力ステップと、を実行させるためのプログラム、でも良い。
【０１３４】
上記プログラムは、コンピュータに、前記場所情報受信ステップで受信した1以上の場所情報に関連する情報である1以上の場所関連情報を出力する場所関連情報出力ステップと、前記場所関連情報出力ステップで出力した1以上の場所関連情報のうちの、1以上の場所関連情報に対する指示を受け付ける場所関連情報指示受付ステップと、をさらに実行させ、前記情報送信要求ステップは、前記場所関連情報指示受付ステップで受け付けた指示に対する場所関連情報に関連する場所情報が特定する情報格納装置に、情報の送信を要求しても良い。
【０１３５】
上記プログラムは、コンピュータに、前記象徴情報受付ステップで受け付けた象徴情報に基づいて、場所情報送信要求情報を送信する１以上のサーバ装置を決定する検索サーバ装置決定ステップをさらに実行させ、前記場所情報送信要求情報送信ステップは、前記検索サーバ装置決定ステップで決定した１以上のサーバ装置に、場所情報送信要求情報を送信するプログラムでも良い。
【０１３６】
上記プログラムは、コンピュータに、格納している情報の出力指示を受け付ける出力指示受付ステップと、をさらに実行させ、前記情報出力ステップにおいて、前記出力指示を受け付けた情報をも出力し、前記象徴情報受付ステップにおいて、前記出力された情報が有する象徴情報に対する指示をも受け付け、コンピュータに、前記象徴情報受付ステップで受け付けた象徴情報に基づいて登録情報を構成する登録構成ステップと、前記登録構成ステップで構成した登録情報を、前記サーバ装置に送信する登録情報送信部ステップをさらに実行させるプログラムでも良い。
【０１３７】
上記プログラムは、コンピュータに、前記情報に基づいて、登録情報を送信する１以上のサーバ装置を決定する登録サーバ装置決定ステップをさらに実行させ、前記登録情報送信ステップにおいて、前記登録サーバ装置決定ステップで決定した１以上のサーバ装置に、登録情報を送信するプログラムでも良い。
（実施の形態３）
本実施の形態における情報処理システムは、２以上の情報格納装置と、クライアント装置と、を具備する情報処理システムである。本情報処理システムは、ピア・ツゥー・ピアのシステムである。
図１９は、本実施の形態における情報処理システムの概念図である。本情報処理システムは、２以上の情報格納装置１９１（１９１（１）から１９１（ｎ））と、クライアント装置１９２と、を具備する。
図２０は、本実施の形態における情報処理システムのブロック図である。
【０１３８】
情報格納装置１９１は、情報格納部１１０１、情報送信部１１０２、管理情報格納部１２０１、場所情報送信要求情報受信部１２０２、場所情報取得部１２０３、場所情報送信部１２０４、出力指示受付部１３０１、情報出力部１３０２、象徴情報受付部１３０３、場所情報受付部１９１０１、管理情報蓄積部１９１０２を具備する。
【０１３９】
クライアント装置１９２は、出力指示受付部１３０１、情報出力部１３０２、象徴情報受付部１３０３、場所情報送信要求情報送信部１９２０４、場所情報受信部１９２０５、場所関連情報出力部１３０６、場所関連情報指示受付部１３０７、情報送信要求部１３０８、情報受信部１３０９、情報格納部１１０１を具備する。
場所情報受付部１９１０１は、場所情報を受け付ける。場所情報受付部１９１０１は、ユーザから入力された場所情報を受け付けても良いし、情報出力部１３０２が出力している情報の場所情報を取得しても良い。
【０１４０】
管理情報蓄積部１９１０２は、象徴情報受付部１３０３が受け付けた象徴情報と、場所情報受付部１９１０１が取得した場所情報に基づいて、管理情報格納部１２０１に管理情報を蓄積する。管理情報蓄積部１９１０２は、管理情報を象徴情報と場所情報に基づいて構成して、蓄積しても良い。また、管理情報が象徴情報をファイル名に有するファイルであり、当該ファイルの中に場所情報が格納されている場合、管理情報蓄積部１９１０２は、象徴情報をファイル名に有するファイルを検索し、当該ファイルをオープンし、当該ファイルに場所情報を追記する。管理情報蓄積部１９１０２は、通常、ＭＰＵやメモリ等から実現され得る。管理情報蓄積部１９１０２の処理手順は、通常、ソフトウェアで実現され、当該ソフトウェアはＲＯＭ等の記録媒体に記録されている。但し、ハードウェア（専用回路）で実現しても良い。
【０１４１】
場所情報送信要求情報送信部１９２０４は、象徴情報受付部１３０３が受け付けた象徴情報を有する場所情報送信要求情報を構成し、当該場所情報送信要求情報を１以上の情報格納装置１９１に送信する。なお、場所情報送信要求情報送信部１９２０４は、１以上の情報格納装置１９１と通信するための情報（情報格納装置１９１のＩＰアドレス等）を予め保持している、とする。場所情報送信要求情報送信部１６３０６は、通常、無線または有線の通信手段で実現されるが、放送手段で実現されても良い。
【０１４２】
場所情報受信部１９２０５は、１以上の情報格納装置１９１のうち、１以上の情報格納装置１９１から1以上の場所情報を受信する。場所情報受信部１９２０５は、通常、無線または有線の通信手段で実現されるが、放送を受信する手段で実現されても良い。
次に、情報処理システムの動作について説明する。
【０１４３】
まず、図２１のフローチャートを用いて情報格納装置１９１の動作について説明する。図２１のフローチャートにおいて、図３、図４のフローチャートのステップと同一のステップについては、その動作の説明を省略する。
【０１４４】
（ステップＳ２１０１）象徴情報受付部１３０３、場所情報受付部１９１０１は、それぞれ象徴情報と場所情報を受け付けたか否かを判断する。象徴情報と場所情報を受け付ければステップＳ２１０２に行き、象徴情報と場所情報を受け付けなければステップＳ２１０４に行く。
（ステップＳ２１０２）管理情報蓄積部１９１０２は、ステップＳ２１０１で受け付けた象徴情報と場所情報に基づいて、管理情報を構成する。
（ステップＳ２１０３）管理情報蓄積部１９１０２は、ステップＳ２１０２で構成した管理情報を蓄積する。ステップＳ３０１に戻る。
（ステップＳ２１０４）情報送信部１１０２は、クライアント装置１９２から情報の送信の要求があったか否かを判断する。情報の送信の要求は、通常、当該情報の存在場所を示す場所情報（ＵＲＬなど）を有する。
（ステップＳ２１０５）情報送信部１１０２は、情報格納部１１０１から、場所情報に対応する情報を取得する。
（ステップＳ２１０６）情報送信部１１０２は、ステップＳ２１０５で取得した情報をクライアント装置１９２に送信する。ステップＳ３０１に戻る。
なお、図２１のフローチャートにおいて、電源オフや処理終了の割り込みにより処理は終了する。
【０１４５】
次に、図２２のフローチャートを用いてクライアント装置１９２の動作について説明する。図２２のフローチャートにおいて、図４のフローチャートのステップと同一のステップについては、その動作の説明を省略する。
（ステップＳ２２０１）場所情報送信要求情報送信部１９２０４は、すべての情報格納装置１９１に場所情報送信要求情報を送信する。
【０１４６】
（ステップＳ２２０２）場所情報受信部１９２０５は、場所情報送信要求情報を送信したすべての情報格納装置１９１から１以上の場所情報を受信したか否かを判断する。すべての情報格納装置１９１から１以上の場所情報を受信すればステップＳ４０９に行き、受信しなければステップＳ２２０３に行く。
【０１４７】
（ステップＳ２２０３）場所関連情報出力部１３０６は、タイムアウトか否かを判断する。ここで、タイムアウトとは、場所情報送信要求情報を送信してから所定の時間が経過したことである。タイムアウトであればステップＳ１７０５に行き、タイムアウトでなければステップＳ１７０３に戻る。
【０１４８】
（ステップＳ２２０４）場所関連情報出力部１３０６は、場所情報受信部１９２０５が受信した場所情報が存在するか否かを判断する。場所情報が存在すればステップＳ４０９に行き、場所情報が存在しなければステップＳ２２０５に行く。
（ステップＳ２２０５）場所関連情報出力部１３０６は、エラーメッセージを構成し、出力する。なお、エラーメッセージは、例えば、予め保持されている。
なお、図２２のフローチャートにおいて、電源オフや処理終了の割り込みにより処理は終了する。
以下、本実施の形態における情報処理システムの具体的な動作について説明する。情報処理システムの概念図は図１９である。
図５は、情報格納装置１９１の管理情報格納部１２０１に格納されている管理情報の例である。
【０１４９】
図６は、クライアント装置１９２の情報格納部１１０１に格納されている１以上の情報である。情報は、ここでは、ファイルである。ここで、クライアント装置１９２のユーザは、情報の出力指示を入力する、とする。次に、クライアント装置１９２の出力指示受付部１３０１は、情報の出力指示を受け付け、当該情報をファイルオープンし、ディスプレイに表示する。図７は、情報が表示された画面を示す図である。
【０１５０】
次に、ユーザは、本ファイルの中の「新聞」という象徴情報をマウスでなぞり操作し、マウスボタンを放つ、とする（図７参照）。すると、象徴情報受付部１３０３は、なぞり操作が完了した後、直ちに、象徴情報「新聞」を受け付ける。
【０１５１】
次に、クライアント装置１９２の場所情報送信要求情報送信部１９２０４は、「場所情報要求」というコマンドと、受け付けた象徴情報「新聞」を有する場所情報送信要求情報を構成する。場所情報送信要求情報の例を図８に示す。
【０１５２】
次に、場所情報送信要求情報送信部１９２０４は、図８の場所情報送信要求情報を、１以上の情報格納装置１９１に送信する。なお、場所情報送信要求情報送信部１９２０４は、１以上の情報格納装置１９１と通信するための１以上の情報格納装置１９１のＩＰアドレス等を、予め保持している。
次に、１以上の情報格納装置１９１の各場所情報送信要求情報受信部１２０２は、図８の場所情報送信要求情報を受信する。
【０１５３】
次に、１以上の情報格納装置１９１の各場所情報取得部１２０３は、図８の場所情報送信要求情報が有する象徴情報に対応する1以上の場所情報を、図５の管理情報格納部１２０１から取得しようとする。つまり、場所情報取得部１２０３は、図８の場所情報送信要求情報のコマンド「場所情報要求」を認識し、場所情報を取得する動作を開始する。つまり、場所情報取得部１２０３は、図８の場所情報送信要求情報が有する象徴情報「新聞」を取得する。次に、場所情報取得部１２０３は、象徴情報「新聞」をファイル名に有するファイルを管理情報格納部１２０１から検索する。次に、場所情報取得部１２０３は、当該ファイルをオープンし、中に記載されている場所情報を全て取得する。
次に、１以上の情報格納装置１９１の各場所情報送信部１２０４は、それぞれ、取得した場所情報を、クライアント装置１９２に送信する。
【０１５４】
次に、クライアント装置１９２の場所情報受信部１９２０５は、１以上の情報格納装置１９１から場所情報を受信する。なお、場所情報受信部１９２０５は、場所情報の送信を要求したすべての情報格納装置１９１から場所情報を受信するとは限らない。
【０１５５】
次に、場所関連情報出力部１３０６は、場所情報受信部１９２０５が受信した1以上の場所情報に関連する情報である1以上の場所関連情報（「１」「２」「３」「４」・・・）を生成する。ここでは、場所関連情報出力部１３０６は、受信した場所情報に応じた数の情報を生成する。
【０１５６】
次に、場所関連情報出力部１３０６は、場所関連情報（「１」「２」「３」「４」・・・）を出力する。なお、図１０が、場所関連情報等の出力例である。なお、クライアント装置１３では、各場所関連情報（「１」「２」「３」「４」・・・）に対応して、場所情報がリンク付けられている。
【０１５７】
次に、クライアント装置１９２の情報送信要求部１３０８は、場所情報受信部１９２０５が受信した１以上の場所情報のうち、一の場所情報（通常、一つ目の場所情報）を取得する。次に、情報送信要求部１３０８は、当該場所情報に基づいて、対応する情報格納装置１１に、情報の送信を要求する。
【０１５８】
なお、ここで、情報格納装置１９１が保持している管理情報が有する場所情報は、情報格納装置１９１自身がアクセス可能な場所情報（例えば、フォルダの情報）であるとは限らず、他の情報格納装置１９１の場所（例えば、フォルダ）の情報でも良い。
次に、当該場所情報で識別され得る情報格納装置１１は、場所情報で識別される情報を、情報格納部１１０１から取得し、クライアント装置１９２に送信する。
次に、クライアント装置１９２の情報受信部１３０９は、当該場所情報で識別される情報を受信する。
そして、情報出力部１３０２は、受信した情報を出力する。かかる出力の例は、図１０の右側のウィンドウに示す。
【０１５９】
また、情報格納装置１９１の象徴情報受付部１３０３、場所情報受付部１９１０１は、それぞれ象徴情報（例えば、「サッカー」）と、場所情報（例えば、「ｈｔｔｐ：／／ｗｗｗ．ｘｘｘ．・・・」）を受け付け、管理情報蓄積部１９１０２は、当該情報に基づいて、管理情報を構成し、蓄積する（図１５（ａ）参照）。
以上、本実施の形態によれば、情報を指示した場合に、当該情報に対応する場所情報を簡単に取得できる。また、本実施の形態によれば、情報格納装置が１以上存在するので、サーバ装置の負荷が分散される。
【０１６０】
なお、本実施の形態によれば、情報格納装置とクライアント装置は、全く同様の構成でも良い。かかる場合、それぞれ、自分の装置で作成した情報を自分の装置に登録し、お互いに情報を利用できる環境を提供できる。
【０１６１】
また、本実施の形態において、クライアント装置は、象徴情報受付部が受け付けた象徴情報に基づいて、場所情報送信要求情報を送信する１以上の情報格納装置を決定する情報格納装置決定部をさらに具備し、場所情報送信要求情報送信部は、前記情報格納装置決定部が決定した１以上の情報格納装置に、場所情報送信要求情報を送信する構成でも良い。かかる情報格納装置決定部は、例えば、象徴情報のデータタイプや言語などに基づいて、場所情報送信要求情報を送信する情報格納装置を決定しても良い。かかる情報格納装置決定部は、通常、ＭＰＵやメモリ等から実現され得る。情報格納装置決定部の処理手順は、通常、ソフトウェアで実現され、当該ソフトウェアはＲＯＭ等の記録媒体に記録されている。但し、ハードウェア（専用回路）で実現しても良い。
【０１６２】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるクライアント装置を実現するソフトウェアは、以下のようなプログラムである。つまり、このプログラムは、コンピュータに、象徴情報を受け付ける象徴情報受付ステップと、前記象徴情報受付ステップで受け付けた象徴情報を有する場所情報送信要求情報を２以上の情報格納装置に送信する場所情報送信要求情報送信ステップと、前記２以上の情報格納装置のうちの１以上の情報格納装置から、管理情報に基づいて取得された1以上の場所情報を受信する場所情報受信ステップと、前記場所情報受信ステップで受信した1以上の場所情報に関連する情報である1以上の場所関連情報を出力する場所関連情報出力ステップと、を実行させるためのプログラム、である。
【０１６３】
また、本実施の形態におけるクライアント装置を実現するソフトウェアは、コンピュータに、象徴情報を受け付ける象徴情報受付ステップと、前記象徴情報受付ステップで受け付けた象徴情報を有する場所情報送信要求情報を２以上の情報格納装置に送信する場所情報送信要求情報送信ステップと、前記２以上の情報格納装置のうちの１以上の情報格納装置から、管理情報に基づいて1以上の場所情報を受信する場所情報受信ステップと、前記場所情報受信ステップで受信した場所情報が特定する情報格納装置に、情報の送信を要求する情報送信要求ステップと、前記情報格納装置から、前記要求した情報を受信する情報受信ステップと、前記情報受信ステップで受信した情報を出力する情報出力ステップと、を実行させるためのプログラム、である。
【０１６４】
また、上記プログラムは、コンピュータに、前記場所情報受信ステップで受信した1以上の場所情報に関連する情報である1以上の場所関連情報を出力する場所関連情報出力ステップと、前記場所関連情報出力ステップで出力した1以上の場所関連情報のうちの、1以上の場所関連情報に対する指示を受け付ける場所関連情報指示受付ステップと、をさらに実行させ、前記情報送信要求ステップにおいて、前記場所関連情報指示受付ステップで受け付けた指示に対する場所関連情報に関連する場所情報が特定する情報格納装置に、情報の送信を要求するプログラムでも良い。
【０１６５】
また、上記プログラムは、コンピュータに、象徴情報受付部が受け付けた象徴情報に基づいて、場所情報送信要求情報を送信する１以上の情報格納装置を決定する情報格納装置決定ステップをさらに実行させ、前記場所情報送信要求情報送信ステップは、前記情報格納装置決定ステップで決定した１以上の情報格納装置に、場所情報送信要求情報を送信するプログラムでも良い。
【０１６６】
本実施の形態における情報格納装置を実現するソフトウェアは、コンピュータに、格納されている情報に対応する情報である象徴情報と、前記情報が格納されている場所を特定する情報である場所情報の対応を管理する情報である管理情報を1以上格納しており、象徴情報を有する情報であり、場所情報の送信を要求する情報である場所情報送信要求情報を、クライアント装置から受信する場所情報送信要求情報受信ステップと、前記場所情報送信要求情報が有する象徴情報に対応する1以上の場所情報を、前記管理情報に基づいて取得する場所情報取得ステップと、前記場所情報取得ステップで取得した1以上の場所情報を、クライアント装置に送信する場所情報送信ステップを実行させるためのプログラム、である。
【０１６７】
また、上記各実施の形態において、各処理（各機能）は、単一の装置（システム）によって集中処理されることによって実現されてもよく、あるいは、複数の装置によって分散処理されることによって実現されてもよい。
【０１６８】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
また、上記で述べたプログラムを実行するコンピュータは、単数であってもよく、複数であってもよい。すなわち、集中処理を行ってもよく、あるいは分散処理を行ってもよい。
また、上記各実施の形態において、一の装置に存在する２以上の通信手段（情報送信部など）は、物理的に一の媒体で実現されても良いことは言うまでもない。
本発明は、以上の実施の形態に限定されることなく、種々の変更が可能であり、それらも本発明の範囲内に包含されるものであることは言うまでもない。
【産業上の利用可能性】
【０１６９】
以上のように、本発明にかかる情報処理システムは、情報を指示した場合に、当該情報に対応する場所情報を簡単に取得できるという効果を有し、情報検索システム等として有用である。
【図面の簡単な説明】
【０１７０】
【図１】実施の形態１における情報処理システムの概念図
【図２】同情報処理システムのブロック図
【図３】同サーバ装置の動作について説明するフローチャート
【図４】同クライアント装置の動作について説明するフローチャート
【図５】同管理情報の例を示す図
【図６】同クライアント装置に格納されている情報の例を示す図
【図７】同クライアント装置の画面表示例を示す図
【図８】同場所情報送信要求情報の例を示す図
【図９】同受信した場所情報の例を示す図
【図１０】同取得した情報の表示例を示す図
【図１１】同取得した情報の表示例を示す図
【図１２】同クライアント装置の登録画面の例を示す図
【図１３】同登録画面の例を示す図
【図１４】同登録情報の例を示す図
【図１５】同管理情報の例を示す図
【図１６】実施の形態２における情報処理システムのブロック図
【図１７】同クライアント装置の動作について説明するフローチャート
【図１８】同サーバ情報管理表を示す図
【図１９】実施の形態３における情報処理システムの概念図
【図２０】同情報処理システムのブロック図
【図２１】同情報格納装置の動作について説明するフローチャート
【図２２】同クライアント装置の動作について説明するフローチャート
【符号の説明】
【０１７１】
１１、１９１  情報格納装置
１２  サーバ装置
１３、１６３、１９２  クライアント装置
１１０１  情報格納部
１１０２  情報送信部
１２０１  管理情報格納部
１２０２  場所情報送信要求情報受信部
１２０３  場所情報取得部
１２０４  場所情報送信部
１２０５  登録情報受信部
１２０６  蓄積判断部
１２０７  管理情報蓄積部
１３０１  出力指示受付部
１３０２  情報出力部
１３０３  象徴情報受付部
１３０４、１６３０４、１６３０６、１９２０４  場所情報送信要求情報送信部
１３０５、１６３０５、１９２０５  場所情報受信部
１３０６  場所関連情報出力部
１３０７  場所関連情報指示受付部
１３０８  情報送信要求部
１３０９  情報受信部
１３１０  登録構成部
１３１１  登録情報送信部
１６３０６  検索サーバ装置決定部
１６３０７  登録サーバ装置決定部
１９１０１  場所情報受付部
１９１０２  管理情報蓄積部
【図１】
2006331139.tif 000003
【図２】
2006331139.tif 000004
【図３】
2006331139.tif 000005
【図４】
2006331139.tif 000006
【図５】
2006331139.tif 000007
【図６】
2006331139.tif 000008
【図７】
2006331139.tif 000009
【図８】
2006331139.tif 000010
【図９】
2006331139.tif 000011
【図１０】
2006331139.tif 000012
【図１１】
2006331139.tif 000013
【図１２】
2006331139.tif 000014
【図１３】
2006331139.tif 000015
【図１４】
2006331139.tif 000016
【図１５】
2006331139.tif 000017
【図１６】
2006331139.tif 000018
【図１７】
2006331139.tif 000019
【図１８】
2006331139.tif 000020
【図１９】
2006331139.tif 000021
【図２０】
2006331139.tif 000022
【図２１】
2006331139.tif 000023
【図２２】
2006331139.tif 000024